(57)【要約】  アイドル状態（ＲＲＣ＿ＩＤＬＥ）の移動局２０ａは、受信したいＭＢＭＳサービスにおいて、ＭＢＭＳ要求を行う条件（ＭＢＭＳ要求のトリガー基準）に一致した場合に（Ｓ３：ＹＥＳ）、ＭＢＭＳ要求の送信処理に入り、基地局１０ｂに対してプリアンブルを送信し、基地局１０ｂからメッセージ３送信のためのスケジューリング情報などを含むランダムアクセスレスポンスを受信し、基地局１０ｂに対してＲＲＣ接続要求（自局のＮＡＳ  ＩＤ含む）・ＭＢＭＳ要求・チャネル品質情報を含むメッセージ３を送信し（Ｓ４）、基地局１０ｂから自局宛のＮＡＳ  ＩＤを含むＲＲＣ接続セットアップとフィードバックリソースの割り当て情報を含むメッセージ４を受信した場合（Ｓ５：ＹＥＳ）、移動局２０ａは接続状態（ＲＲＣ＿ＣＯＮＮＥＣＴＥＤ）に遷移するとともに、指定されたリソースを用いて基地局へフィードバックする（Ｓ６）。これによりＳＣＰＴＭ送信でのＭＢＭＳサービス提供を効率的に行うことが可能になる。
2009096305.tif 000002
【特許請求の範囲】
【請求項１】
ＭＢＭＳサービスを提供する基地局装置と通信を行う移動局装置であって、
ＭＢＭＳ要求を行う条件に合致した場合に、前記ＭＢＭＳ要求を前記基地局装置に送信することを特徴とする移動局装置。
【請求項２】
前記ＭＢＭＳ要求は、ＭＢＭＳサービスフィードバックリソース要求であることを特徴とする請求項１に記載の移動局装置。
【請求項３】
前記ＭＢＭＳ要求を行う条件は、ＭＢＭＳサービスの送信時に使用される下りリンク制御チャネル（PDCCH）を一定期間受信・復調・復号をすることができない場合であることを特徴とする請求項１又は２に記載の移動局装置。
【請求項４】
前記ＭＢＭＳ要求を行う条件は、下りリンク制御チャネル（PDCCH）を受信・復調・復号することはできたが、下りリンク共用チャネル（PDSCH）の受信・復調・復号が一定期間できなかった場合であることを特徴とする請求項１又は２に記載の移動局装置。
【請求項５】
前記ＭＢＭＳ要求を行う条件は、自局の下りリンクのチャネル状態又は品質が、前記基地局装置から報知される閾値以下の場合であることを特徴とする請求項１又は２に記載の移動局装置。
【請求項６】
前記ＭＢＭＳ要求を行う条件は、下りリンク制御チャネル（PDCCH）を受信・復調・復号することはできたが、下りリンク制御チャネル（PDCCH）において指定される下りリンク共用チャネル（PDSCH）を復調・復号するための送信形態が、自局の下りリンクのチャネル状態又は品質と合わない場合であることを特徴とする請求項１又は２に記載の移動局装置。
【請求項７】
前記ＭＢＭＳ要求を送信するために、競合型ランダムアクセスを行うことを特徴とする請求項１から６までのいずれか１項に記載の移動局装置。
【請求項８】
ＭＢＭＳサービスを提供する基地局装置と通信する移動局装置であって、
ＭＢＭＳ測定報告を行う条件に合致した場合に、前記ＭＢＭＳ測定報告を前記基地局装置に送信することを特徴とする移動局装置。
【請求項９】
前記ＭＢＭＳ測定報告は、ＭＢＭＳサービスフィードバックリソース要求報告であることを特徴とする請求項８に記載の移動局装置。
【請求項１０】
前記ＭＢＭＳ測定報告を行う条件は、ＭＢＭＳサービスの送信時に使用される下りリンク制御チャネル（PDCCH）を一定期間受信・復調・復号することができない場合であることを特徴とする請求項８に記載の移動局装置。
【請求項１１】
前記ＭＢＭＳ測定報告を行う条件は、下りリンク制御チャネル（PDCCH）を受信・復調・復号することはできたが、下りリンク共用チャネル（PDSCH）の受信・復調・復号が一定期間できなかった場合であることを特徴とする請求項８に記載の移動局装置。
【請求項１２】
前記ＭＢＭＳ測定報告を行う条件は、自局の下りリンクのチャネル状態又は品質が、前記基地局装置から報知される閾値以下である場合であることを特徴とする請求項８に記載の移動局装置。
【請求項１３】
前記ＭＢＭＳ測定報告を行う条件は、下りリンク制御チャネル（PDCCH）を受信・復調・復号することはできたが、下りリンク制御チャネル（PDCCH）において指定される下りリンク共用チャネル（PDSCH）を復調・復号するための送信形態が、自局の下りリンクのチャネル状態又は品質と合わない場合であることを特徴とする請求項８に記載の移動局装置。
【請求項１４】
移動局装置へＭＢＭＳサービスを提供する基地局装置であって、
ＭＢＭＳ要求のトリガー基準および／またはＭＢＭＳ測定報告のトリガー基準を前記移動局装置へ通知することを特徴とする基地局装置。
【請求項１５】
前記移動局装置からＭＢＭＳサービスフィードバック要求を受信した場合、前記移動局装置に対してフィードバックリソースを割当てることを特徴とする請求項１４に記載の基地局装置。
【請求項１６】
前記移動局装置からＭＢＭＳサービス送信要求を受信した場合に、前記ＭＢＭＳサービス送信要求で指定されたＭＢＭＳサービスを提供することを特徴とする請求項１５に記載の基地局装置。
【請求項１７】
移動局装置とＭＢＭＳサービスを提供する基地局装置とを備える通信システムであって、
前記移動局装置は、ＭＢＭＳ要求を行う条件に合致した場合に、前記ＭＢＭＳ要求を前記基地局装置に対して送信し、
前記基地局装置は、前記移動局装置から受信した前記ＭＢＭＳ要求に基づいて、前記移動局装置に対してフィードバックリソースを割当て、
前記移動局装置は、前記基地局装置から指定されたフィードバックリソースを用いて、フィードバック情報を前記基地局装置に対して送信し、
前記基地局装置は、前記移動局装置から受信したフィードバック情報に基づいて、前記ＭＢＭＳサービスの送信形態を変更することを特徴とする通信システム。
【請求項１８】
移動局装置とＭＢＭＳサービスを提供する基地局装置とを備える通信システムであって、
前記移動局装置は、ＭＢＭＳ測定報告を行う条件に合致した場合に、前記ＭＢＭＳ測定報告を前記基地局装置に対して送信し、
前記基地局装置は、前記移動局装置から受信したＭＢＭＳ測定報告に基づいて、前記ＭＢＭＳサービスの送信形態を変更することを特徴とする通信システム。
【発明の詳細な説明】
【技術分野】
【０００１】
本発明は、通信技術に関し、特に、移動局装置、基地局装置、通信システム、通信方法、及びプログラムに関する。
【背景技術】
【０００２】
固定系通信および移動系通信に共通に適用できる携帯電話系のネットワークのため、３ＧＰＰ（3rd Generation Partnership Project、第三世代パートナーシッププロジェクト）では、Ｗ−ＣＤＭＡ（Wideband Code Division Multiple Access）方式が第三世代セルラー移動通信方式として標準化され、順次サービスが開始されている。また、通信速度を更に上げたＨＳＤＰＡ（High Speed Downlink Packet Access）も標準化され、サービスが開始されつつある。さらに、３ＧＰＰでは、第三世代無線アクセスの進化（Evolved Universal Terrestrial Radio Access、以下、「ＥＵＴＲＡ」と称する。）が検討されている。【０００３】
ＥＵＴＲＡの下りリンクとして、ＯＦＤＭ（Orthogonal Frequency Division Multiplexing）方式が提案されている。ＥＵＴＲＡ技術として、ＯＦＤＭ方式にチャネル符号化等の適応無線リンク制御（リンクアダプテーション、Link Adaptiveion)に基づく適応変復調・誤り訂正方式（ＡＭＣＳ：Adaptive Modulation and Coding Scheme）といった技術が適用されている。ＡＭＣＳ方式とは、高速パケットデータ伝送を効率的に行うために、各移動局の伝搬路状況に応じて、誤り訂正方式、誤り訂正の符号化率、データ変調多値数（ＭＣＳ：Modulation and Coding Scheme）、時間・周波数軸の符号拡散率（ＳＦ：Spreading Factor）、マルチコード多重数など無線伝送パラメーターを切り替える方式である。例えば、データ変調については、伝搬路状況が良好になるに従って、ＱＰＳＫ（Quadrature Phase Shift Keying）変調から、１６ＱＡＭ（Quadrature Amplitude Modulation）変調、６４ＱＡＭ変調など、より高い効率の多値変調に切り替えることで、通信システムの最大スループットを増大させることができる。一方、ＥＵＴＲＡの上りリンクとしては、ＤＦＴ−Ｓ−ＯＦＤＭ（Discrete Fourier transform Spread OFDM）方式が提案されている（下記非特許文献１参照）。【０００４】
図１は、EUTRAにおけるチャネル構成を示す図である。EUTRAの下りリンクは、下りリンクパイロットチャネル（DPiCH：Downlink Pilot Channel）と、下りリンク同期チャネル（PSCH：Physical Downlink Synchronization Channel）と、下りリンク共用チャネル（PDSCH：Physical Downlink Shared Channel）と、下りリンク制御チャネル（PDCCH：Physical Downlink Control Channel）と、下りリンク報知チャネル（PBCH：Physical Broadcast Channel）と、により構成されている。【０００５】
また、EUTRAの上りリンクは、上りリンクパイロットチャネル（UPiCH：Uplink Pilot Channel）と、ランダムアクセスチャネル（RACH：Random Access Channel）と、上りリンク共用チャネル（PUSCH：Physical Uplink Shared Channel）と、上りリンク制御チャネル（PUCCH：Physical Uplink Control Channel）と、により構成されている（例えば、下記非特許文献１参照）。【０００６】
また現在、ＥＵＴＲＡに関する議論では、ＭＢＭＳ（Multimedia Broadcast Multicast Service）サービスについて検討されている。ＭＢＭＳサービスを提供するセルとしては、ユニキャスト送信のために利用される周波数と異なる周波数（ＭＢＭＳサービス専用の周波数）を利用してＭＢＭＳ送信を専門に行うセル（MBMS dedicated cell）と、ユニキャスト送信のために利用される周波数（ＭＢＭＳサービス専用ではない周波数）を利用してＭＢＭＳ送信とユニキャスト送信の双方を行うセル（MBMS/Unicast-mixed cell）と、の２つがあり、これらのうちのいずれかのセルを用いて、複数ユーザに対して同時にＭＢＭＳサービスを提供することができる。【０００７】
そして、ＭＢＭＳサービスの送信方法としては、１つの基地局だけが送信する方法と、時間・周波数同期している複数の基地局が同時に送信する方法と、がある。前者をＳＣＰＴＭ（Single-Cell Point-to-Multipoint）送信と呼び、後者をＭＢＳＦＮ（Multimedia Broadcast multicast service Single Frequency Network）送信と呼ぶ。ＭＢＳＦＮ送信では、複数の基地局から同時に同じＭＢＭＳ送信信号が送信され、移動局においては、その信号が１つのＭＢＭＳ送信信号として見えるように合成することができる。本明細書では、説明の便宜上、ＳＣＰＴＭ送信を行うセルをＳＣＰＴＭセルと呼ぶこととする。【０００８】
図２は、ＳＣＰＴＭ送信におけるＭＢＭＳサービスの概略構成例を示す図である。ＳＣＰＴＭ送信におけるＭＢＭＳ送信信号は、ユニキャスト送信と同じＡＭＣＳが適用される。図２に示すように、ＳＣＰＴＭ送信でＭＢＭＳサービスを提供するセル２３において、複数の移動局２０ｃ・２０ｄ等がＭＢＭＳサービスを受信している状態について考える。ＳＣＰＴＭ送信でＭＢＭＳサービスを提供する基地局１０ｃと、２つの移動局２０ｃと２０ｄにより構成され、移動局２０ｃと２０ｄがＭＢＭＳサービスを受信しているものとする。【０００９】
ＳＣＰＴＭ送信でＭＢＭＳサービスの受信を希望するアイドル状態の移動局は、下記非特許文献１に記載の現在の仕様に基づいて、基地局１０ｃから指定されると、アイドル状態から接続状態へ遷移し、上りリンクのフィードバックリソースが割り当てられ、フィードバックを定期的に行うことが想定されている。ＭＢＭＳ用のフィードバックリソースが割り当てられた接続状態の移動局は、基地局によって指定されたフィードバックリソースを利用して、基地局へフィードバックを行う。このフィードバック情報には、周波数領域ごとの下りリンクのチャネル品質を示すチャネル品質識別子（ＣＱＩ：Channel Quality Indicator、下りリンクチャネル品質情報、ＣＱＩフィードバック情報とも称する）や、ＭＢＭＳサービスのデータに対するＨＡＲＱ（Hybrid Automatic Repeat Request）のＡＣＫ（肯定確認：Positive Acknowledgement）／ＮＡＣＫ（否定確認：Negative Acknowledgement）が含まれる。特に、より詳細なＣＱＩフィードバックがさらに必要な場合には、移動局から基地局へ、チャネル品質の良い周波数領域を示す情報がフィードバックされる。【００１０】
図２では、矢印で示すように、例えば、下りリンクチャネル品質の悪い移動局２０ｃがフィードバックを行っている。基地局１０ｃでは、移動局２０ｃからのフィードバック情報をもとに、全ての移動局２０ｃ・２０ｄがＭＢＭＳサービスを受信できるように、ＡＭＣＳにおける変調多値数・符号化率の組合せであるＭＣＳ値（例えば、１６ＱＡＭ変調、２／３コーディングレート）を決定し、ＭＢＭＳサービスの送信データに対して施してから、ＳＣＰＴＭ送信を行う。なお、フィードバックを行っている移動局２０ｃは接続状態であり、フィードバックを行っていない移動局２０ｄはアイドル状態または接続状態である。
【非特許文献１】3GPP TS (Technical Specification) 36.300 V8.2.0 (2007-09), Evolved Universal Terrestrial Radio Access (E-UTRA) and Evolved Universal Terrestrial Radio Access Network (E-UTRAN); Overall description; Stage2 (Release 8)．
【非特許文献２】3GPP TS (Technical Specification) 36.304 V8.0.0 (2007-12), Evolved Universal Terrestrial Radio Access (E-UTRA); User Equipment (UE) procedure in idle mode (Release 8)．
【発明の開示】
【発明が解決しようとする課題】
【００１１】
ここで、図３に示されるケースについて考える。図３は、図２に示されるＳＣＰＴＭ送信でＭＢＭＳサービスを提供している基地局１０ｃと、そのＭＢＭＳサービスを受信している移動局２０ｃおよび２０ｄに加え、このセル２３内へセル再選択（Cell Reselection）をした移動局２０ｅが示されている。このとき移動局２０ｅは、アイドル状態である。【００１２】
図２では、基地局１０ｃは、下りリンクチャネル品質の悪い移動局２０ｃに対してフィードバックリソースを割当てることを想定している。すなわち、移動局２０ｃは接続状態である。ここでは、移動局２０ｄの下りリンクチャネル状態（または品質）の方が、移動局２０ｃの下りリンクチャネル状態（または品質）よりも良いことを想定している。このとき、基地局１０ｃは悪い下りリンクチャネル品質に合わせたＭＣＳ値でＭＢＭＳサービスを送信するが、フィードバックを行っていない下りリンクチャネル品質の良い移動局２０ｄは、ＭＢＭＳサービスを受信することができる。そのため、この場合は、基地局１０ｃはフィードバックを行っていない移動局２０ｄを考慮せずにＭＣＳ値を決定しても問題はない。【００１３】
しかしながら、図３のように、フィードバックを行っている移動局２０ｃの下りリンクチャネル状態（または品質）よりも悪い下りリンクチャネル状態（または品質）であり、かつアイドル状態の移動局２０ｅがセル２３を選択し、ＭＢＭＳサービスの受信を希望する場合には、上りリンクのフィードバックリソースが割り当てられていないため、この移動局２０ｅに最適なＭＣＳ値でＭＢＭＳサービスが提供されなかった。一方、基地局１０ｃにおいても、移動局２０ｅの存在については気づいていないため、移動局２０ｅを考慮せずにＭＣＳ値を決定していた。【００１４】
また、図２において、移動局２０ｄがアイドル状態でＭＢＭＳサービスを受信する場合、移動局２０ｄの下りリンクチャネル状態（または品質）が劣化し、移動局２０ｃの下りリンクのチャネル状態（または品質）よりも悪くなった場合、上りリンクのフィードバックリソースが割り当てられていないため、この移動局２０ｄに最適なＭＣＳ値でＭＢＭＳサービスが提供されないという問題があった。一方、基地局１０ｃにおいても、移動局２０ｄの下りリンクチャネル状態（または品質）の変化について気づいていないため、移動局２０ｄを考慮せずにＭＣＳ値を決定していた。【００１５】
以上のように、従来技術を用いて、基地局１０ｃが各移動局に個別の上りリンクのフィードバックリソースを割り当てる場合、上りリンクフィードバックリソースの増大となる。また、基地局１０ｃは、移動局の下りリンクチャネル状態（または品質）に応じて、効率的に移動局を選択することができないという問題があった。【００１６】
また同様に、この状況は、ＳＣＰＴＭ送信でＭＢＭＳサービスを提供しているセルにおいて、ＭＢＭＳサービスを受信しているが、基地局に対して上りリンクのフィードバック情報を送信していない接続状態の移動局に対しても同様に当てはまる。図１１を参照しながらこの状況を説明する。【００１７】
図１１には、基地局１０ｂがＳＣＰＴＭ送信でＭＢＭＳサービスを提供するセル２３と、移動局２０ｃと２０ｆとが記述されている。ここでは、移動局２０ｃは基地局１０ｂに対してＭＢＭＳサービスを受信し、上りリンクのフィードバック情報を送信している接続状態の移動局を表しており、移動局２０ｆはＭＢＭＳサービスを受信しているが、基地局１０ｂに対して上りリンクのフィードバック情報を送信していない接続状態の移動局を表している。【００１８】
すなわち、図１１において、移動局２０ｆが接続状態でＭＢＭＳサービスを受信する場合、移動局２０ｆの下りリンクチャネル状態（または品質）が劣化し、移動局２０ｃの下りリンクのチャネル状態（または品質）よりも悪くなった場合に、上りリンクのフィードバックリソースが割り当てられていないため、この移動局２０ｆに最適なＭＣＳ値でＭＢＭＳサービスが提供されなかった。一方、基地局１０ｂにおいても、移動局２０ｆの下りリンクチャネル状態（または品質）の変化を知らないため、移動局２０ｆを考慮せずにＭＣＳ値を決定していた。【００１９】
以上のように、一般的な技術を用いて、基地局１０ｂが各移動局に個別の上りリンクのフィードバックリソースを割り当てる場合に、上りリンクフィードバックリソースが増大するという問題が生じる。また、基地局１０ｂは、移動局の下りリンクチャネル状態（または品質）に応じて、効率的に移動局を選択することができないという問題があった。【００２０】
本発明は、上記問題を解決することを目的とするものであり、移動局に対して、ＳＣＰＴＭ送信でのＭＢＭＳサービス提供を効率的に行う通信技術、特に、移動局装置、基地局装置、移動通信システム及び通信方法を提供するものである。
【課題を解決するための手段】
【００２１】
本発明の一観点によれば、ＭＢＭＳサービスを提供する基地局装置と通信を行う移動局装置であって、ＭＢＭＳ要求を行う条件に合致した場合に、前記ＭＢＭＳ要求を前記基地局装置に送信することを特徴とする移動局装置が提供される。前記ＭＢＭＳ要求は、ＭＢＭＳサービスフィードバックリソース要求であることが好ましい。前記ＭＢＭＳ要求を行う条件は、ＭＢＭＳサービスの送信時に使用される下りリンク制御チャネル（PDCCH）を一定期間受信・復調・復号をすることができない場合であるのが好ましい。また、前記ＭＢＭＳ要求を行う条件は、下りリンク制御チャネル（PDCCH）を受信・復調・復号することはできたが、下りリンク共用チャネル（PDSCH）の受信・復調・復号が一定期間できなかった場合であっても良い。或いは、前記ＭＢＭＳ要求を行う条件は、自局の下りリンクのチャネル状態（または品質）が、前記基地局装置から報知される閾値以下（または未満）である場合であっても良い。前記ＭＢＭＳ要求を行う条件は、下りリンク制御チャネル（PDCCH）を受信・復調・復号することはできたが、下りリンク制御チャネル（PDCCH）において指定される下りリンク共用チャネル（PDSCH）を復調・復号するための送信形態（ＭＣＳ値など）が、自局の下りリンクのチャネル状態（または品質）と合わない場合であっても良い。前記ＭＢＭＳ要求を送信するために、競合型ランダムアクセスを行うことが好ましい。【００２２】
また、本発明の別の観点によれば、ＭＢＭＳサービスを提供する基地局装置と通信する移動局装置であって、ＭＢＭＳ測定報告を行う条件に合致した場合に、前記ＭＢＭＳ測定報告を前記基地局装置に送信することを特徴とする移動局装置であっても良い。前記ＭＢＭＳ測定報告は、ＭＢＭＳサービスフィードバックリソース要求報告であることが好ましい。また、前記ＭＢＭＳ測定報告を行う条件は、ＭＢＭＳサービスの送信時に使用される下りリンク制御チャネル（PDCCH）を一定期間受信・復調・復号することができない場合であっても良い。或いは、前記ＭＢＭＳ測定報告を行う条件は、下りリンク制御チャネル（PDCCH）を受信・復調・復号することはできたが、下りリンク共用チャネル（PDSCH）の受信・復調・復号が一定期間できなかった場合であっても良い。前記ＭＢＭＳ測定報告を行う条件は、自局の下りリンクのチャネル状態（または品質）が、前記基地局装置から報知される閾値以下（または未満）である場合であっても良い。前記ＭＢＭＳ測定報告を行う条件は、下りリンク制御チャネル（PDCCH）を受信・復調・復号することはできたが、下りリンク制御チャネル（PDCCH）において指定される下りリンク共用チャネル（PDSCH）を復調・復号するための送信形態（ＭＣＳ値など）が、自局の下りリンクのチャネル状態（または品質）と合わない場合であっても良い。【００２３】
本発明の他の観点によれば、移動局装置へＭＢＭＳサービスを提供する基地局装置であって、ＭＢＭＳ要求のトリガー基準および／またはＭＢＭＳ測定報告のトリガー基準を前記移動局装置へ通知することを特徴とする基地局装置が提供される。前記移動局装置からＭＢＭＳサービスフィードバック要求を受信した場合、前記移動局装置に対してフィードバックリソースを割当てることが好ましい。前記移動局装置からＭＢＭＳサービス送信要求を受信した場合に、前記ＭＢＭＳサービス送信要求で指定されたＭＢＭＳサービスを提供することが好ましい。【００２４】
本発明の別の観点によれば、移動局装置とＭＢＭＳサービスを提供する基地局装置とを備える通信システムであって、前記移動局装置は、ＭＢＭＳ要求を行う条件に合致した場合に、前記ＭＢＭＳ要求を前記基地局装置に対して送信し、前記基地局装置は、前記移動局装置から受信した前記ＭＢＭＳ要求に基づいて、前記移動局装置に対してフィードバックリソースを割当て、前記移動局装置は、前記基地局装置から指定されたフィードバックリソースを用いて、フィードバック情報を前記基地局装置に対して送信し、前記基地局装置は、前記移動局装置から受信したフィードバック情報に基づいて、前記ＭＢＭＳサービスの送信形態を変更することを特徴とする通信システムが提供される。【００２５】
また、移動局装置とＭＢＭＳサービスを提供する基地局装置とを備える通信システムであって、前記移動局装置は、ＭＢＭＳ測定報告を行う条件に合致した場合に、前記ＭＢＭＳ測定報告を前記基地局装置に対して送信し、前記基地局装置は、前記移動局装置から受信したＭＢＭＳ測定報告に基づいて、前記ＭＢＭＳサービスの送信形態を変更することを特徴とする通信システムが提供される。
【発明の効果】
【００２６】
本発明によれば、移動局に対して、ＳＣＰＴＭ送信でのＭＢＭＳサービス提供を効率的に行うことができるという利点がある。
【図面の簡単な説明】
【００２７】
【図１】ＥＵＴＲＡにおけるチャネル構成を示す図である。
【図２】ＭＢＭＳサービスの概略構成例を示す図である。
【図３】図２に示されるＳＣＰＴＭ送信でＭＢＭＳサービスを提供している基地局と、そのＭＢＭＳサービスを受信している移動局に加え、このセル内へセル再選択（Cell Reselection）をした移動局が示されている図である。
【図４】本実施の形態による通信技術に用いられる基地局装置の一構成例を示す機能ブロック図である。
【図５】本実施の形態における移動局装置の一構成例を示す機能ブロック図である。
【図６】上りリンク共用チャネル（PUSCH）、上りリンク制御チャネル（PUCCH）、ランダムアクセスチャネル（RACH）をマッピングした一例を示す図である。縦軸は周波数、横軸は時間である。
【図７】本実施の形態による通信技術を利用した通信システムの一構成例を示す図である。
【図８】移動局が、基地局においてＳＣＰＴＭ送信によるＭＢＭＳサービス提供していることを知り、基地局に対してフィードバックリソースを要求し、基地局１０ｂによって指定されたフィードバックリソースを用いて、フィードバックするまでの手順を示すシーケンス図である。
【図９】図８の手順を通じて、アイドル状態から接続状態になるまでの状態遷移のフローチャートを示す図である。
【図１０】下りリンクにおける１つの無線フレーム（１０ミリ秒）の構成と、無線チャネルのマッピング例を説明するための図である。
【図１１】基地局からＭＢＭＳサービスを受信し、上りリンクのフィードバック情報を送信している接続状態の移動局と、他の移動局はＭＢＭＳサービスを受信しているが、基地局からＭＢＭＳサービスを受信しているが、上りリンクのフィードバック情報を送信していない接続状態の移動局を示す図である。
【図１２】本発明の第２の実施の形態による通信技術であって、基地局がＳＣＰＴＭ送信でＭＢＭＳサービスを提供するセルにおいて、ＭＢＭＳサービスを受信しているが、基地局１０ｂに対して接続状態にある移動局２０ｃおよび２０ｆが、基地局１０ｂに対してＭＢＭＳ測定報告を送信するまでの手順を示すシーケンス図である。
【図１３】図１２の手順を通じて、接続状態にある移動局が、ＭＢＭＳ測定報告をするまでの処理手順を示すフローチャート図である。
【符号の説明】
【００２８】
１００  基地局装置
１０１  データ制御部
１０２  ＯＦＤＭ変調部
１０３  無線部
１０４  スケジューリング部
１０５  チャネル推定部
１０６  ＤＦＴ−Ｓ−ＯＦＤＭ復調部
１０７  データ抽出部
１０９  上位層
１０９ａ  無線リソース制御部
２００  移動局装置
２０１  データ制御部
２０２  ＤＦＴ−Ｓ−ＯＦＤＭ変調部
２０３  無線部
２０４  スケジューリング部
２０５  チャネル推定部
２０６  ＯＦＤＭ復調部
２０７  データ抽出部
２０８  ＭＢＭＳ要求部
２０９  上位層
２０９ａ  無線リソース制御部
【発明を実施するための最良の形態】
【００２９】
（第１の実施の形態）
以下、本発明の第１の実施の形態による通信技術について図面を参照しながら説明する。【００３０】
本実施の形態による通信技術は、基地局装置（以下、「基地局」と称する。）１００と、移動局装置（以下、「移動局」と称する）２００と、を備えて構成される。【００３１】
図４は、本実施の形態による通信技術に用いられる基地局装置の一構成例を示す機能ブロック図である。図４に示す基地局装置の構成例は、第１の実施の形態だけでなく、後述する第２の実施の形態においても適用できるため、これを参照することとする。図４に示すように、基地局装置１００は、データ制御部１０１と、ＯＦＤＭ変調部１０２と、無線部１０３と、スケジューリング部１０４と、チャネル推定部１０５と、ＤＦＴ−Ｓｐｒｅａｄ−ＯＦＤＭ復調部（ＤＦＴ−Ｓ−ＯＦＤＭ復調部）１０６と、データ抽出部１０７と、上位層１０９と、を含んで構成される。【００３２】
データ制御部１０１は、スケジューリング部１０４から制御データ、ユーザデータおよびＭＢＭＳサービス（ＭＢＭＳ送信データとも言う。）の入力を受けるとともに、スケジューリング部１０４から入力されるスケジューリング情報に基づいて、制御データを、下りリンクパイロットチャネル（DPiCH）、下りリンク同期チャネル（PSCH）、下りリンク共用チャネル（PDSCH）、下りリンク制御チャネル（PDCCH）、下りリンク報知チャネル（PBCH）にマッピングする。また、各移動局に対するユーザデータについては、下りリンク共用チャネル（PDSCH）にマッピングする。マッピングされた各データは、ＯＦＤＭ変調部１０２へ出力される。【００３３】
尚、ＲＲＣ（Radio Resource Control）メッセージや、ＭＡＣ（Medium Access Control）  ｃｏｎｔｒｏｌ  Ｅｌｅｍｅｎｔは、下りリンク共用チャネル（PDSCH）にマッピングされて、移動局へ送信される。【００３４】
また、ＳＣＰＴＭ送信でＭＢＭＳサービスを送信する際には、下りリンク共用チャネル（PDSCH）にＭＢＭＳ送信データをマッピングし、下りリンク制御チャネル（PDCCH）にグループ識別子ＭＢＭＳ−ＲＮＴＩ（MBMS - Radio Network Temporary Identity）をマッピングする。【００３５】
また、ＭＢＭＳ関連情報は、論理チャネルであるBCCH（Broadcast Control Channel）またはMCCH（Multicast Control Channel）に含まれており、下りリンク共用チャネル（PDSCH）にマッピングされる。【００３６】
また、下りリンクパイロットチャネル（DPiCH）には、参照信号（ＲＳ：Reference Signal）がマッピングされる。【００３７】
ＯＦＤＭ変調部１０２は、データ制御部１０１から入力されたユーザデータおよびＭＢＭＳ送信データに対して、スケジューリング部１０４からのスケジューリング情報（下りリンクリソースブロックＰＲＢ（Physical Resource Block）割り当て情報（例えば、周波数、時間などリソースブロック位置情報）や、各ＰＲＢに対応するＭＣＳ値（例えば、１６ＱＡＭ変調、２／３コーディングレート）などを含む）に基づいて、符号化、データ変調、入力信号の直列／並列変換、ＩＦＦＴ（Ｉｎｖｅｒｓｅ  Ｆａｓｔ  Ｆｏｕｒｉｅｒ  Ｔｒａｎｓｆｏｒｍ、逆高速フーリエ変換）処理、ＣＰ（Ｃｙｃｌｉｃ  Ｐｒｅｆｉｘ）挿入、並びに、フィルタリングなどＯＦＤＭ信号処理を行い、ＯＦＤＭ信号を生成して、無線部１０３へ出力する。【００３８】
無線部１０３は、ＯＦＤＭ変調部１０２から入力された変調データを無線周波数にアップコンバートして無線信号を生成し、アンテナ（図示せず）を介して、移動局２００に送信する。【００３９】
また、無線部１０３は、移動局２００からの上りリンクの無線信号を、アンテナ（図示せず）を介して受信し、ベースバンド信号にダウンコンバートして、受信データをチャネル推定部１０５とＤＦＴ−Ｓ−ＯＦＤＭ復調部１０６とに出力する。【００４０】
スケジューリング部１０４は、下りリンクのスケジューリングと、上りリンクのスケジューリングと、を行う。下りリンクのスケジューリングでは、移動局装置２００から受信した上りリンクのフィードバック情報（下りリンクのチャネル品質情報（ＣＱＩフィードバック情報）や、下りリンクのユーザデータまたはＭＢＭＳ送信データに対するＡＣＫ／ＮＡＣＫフィードバック情報など）、各移動局装置の使用可能なＰＲＢの情報、バッファ状況、上位層１０９から入力されたスケジューリング情報などに基づいて、上位層１０９から入力された下りリンクの制御データ、ユーザデータおよびＭＢＭＳ送信データを各チャネルにマッピングするためのスケジューリング処理、及び、各データを変調するための下りリンクの送信形態（ＭＣＳ値など）の算出処理を行う。これらのスケジューリング情報は、データ制御部１０１へ出力される。【００４１】
また、上りリンクのスケジューリングでは、チャネル推定部１０５が出力する上りリンクのチャネル状態（無線伝搬路状態）の推定結果、移動局装置２００からのリソース割り当て要求（ＭＢＭＳ要求を含む）、各移動局装置２００の使用可能なＰＲＢの情報、上位層１０９から入力されたスケジューリング情報などに基づいて、上りリンクのユーザデータおよび制御データを各チャネルにマッピングするためのスケジューリング処理、及び、各データを変調するための上りリンクの送信形態（ＭＣＳ値など）の算出処理を行う。これら上りリンクのスケジューリング情報は、データ制御部１０１へ出力される。【００４２】
また、スケジューリング部１０４は、上位層１０９から入力された下りリンクの制御データとユーザデータおよびＭＢＭＳ送信データとをデータ制御部１０１へ出力する。また、スケジューリング部１０４は、データ抽出部１０７から入力された上りリンクの制御データとユーザデータのうち、ユーザデータについては上位層１０９へ出力し、制御データについては、必要に応じて処理した後に、上位層１０９へ出力する。【００４３】
スケジューリング部１０４は、ＭＡＣ  ｃｏｎｔｒｏｌ  Ｅｌｅｍｅｎｔの生成や、移動局装置２００との間でＭＡＣ  ｃｏｎｔｒｏｌ  Ｅｌｅｍｅｎｔをやり取りする。【００４４】
チャネル推定部１０５は、上りリンクデータの復調のために、上りリンクパイロットチャネル（UPiCH）の復調用パイロット（ＤＲＳ：Demodulation Reference Signal）から上りリンクのチャネル状態を推定し、その推定結果をＤＦＴ−Ｓ−ＯＦＤＭ復調部１０６に出力する。また、上りリンクのスケジューリングを行なうために、上りリンクパイロットチャネル（UPiCH）のスケジューリングパイロット（ＳＲＳ:Sounding Reference Signal）から上りリンクのチャネル状態を推定し、その推定結果をスケジューリング部１０４に出力する。尚、上りリンクの通信方式は、ＤＦＴ−Ｓ−ＯＦＤＭ等のようなシングルキャリア方式を想定しているが、ＯＦＤＭ方式のようなマルチキャリア方式を用いてもよい。【００４５】
ＤＦＴ−Ｓ−ＯＦＤＭ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等のＤＦＴ−Ｓ−ＯＦＤＭ信号処理を行って、復調処理を施し、データ抽出部１０７に出力する。【００４６】
データ抽出部１０７は、ＤＦＴ−Ｓ−ＯＦＤＭ復調部１０６から入力されたデータに対して、正誤を確認するとともに、確認結果（ＡＣＫ／ＮＡＣＫ）をスケジューリング部１０４に出力する。また、データ抽出部１０７は、ＤＦＴ−Ｓ−ＯＦＤＭ復調部１０６から入力されたデータを、ユーザデータと制御データとに分離して、スケジューリング部１０４に出力する。分離された制御データには、移動局２００から通知された上りリンクのフィードバック情報（下りリンクのチャネル品質情報や下りリンクのユーザデータまたはＭＢＭＳ送信データ対するＡＣＫ／ＮＡＣＫフィードバック情報）が含まれている。【００４７】
上位層１０９は、ユーザデータおよび制御データの処理を行う。上位層１０９は、無線リソース制御部１０９ａを有している。無線リソース制御部１０９ａは、ＲＲＣメッセージの生成や、移動局装置２００の無線リソース制御部２０９ａとの間でＲＲＣメッセージをやり取りする。また、無線リソース制御部１０９ａは、移動局装置２００の状態管理も行っている。また、上位層１０９は、移動局からのＭＢＭＳ要求を受信した場合に、ＭＢＭＳ要求に含まれる下りリンクのチャネル品質情報に基づいて、移動局２００に対するフィードバックリソースの割り当て情報を生成する。また、無線リソース制御部１０９ａは、測定設定情報を生成し、移動局装置へ通知する。【００４８】
図１０は、下りリンクにおける１つの無線フレーム（１０ミリ秒）の構成と、無線チャネルのマッピング例を説明するための図である。下りリンク無線フレームは、周波数帯域幅（Ｂｃｈ）と時間軸のサブフレーム（ＳＦ：Ｓｕｂ−ｆｒａｍｅ）による２次元の複数のＰＲＢにより構成されている。【００４９】
例えば、ＰＲＢの周波数帯域幅（Ｂｃｈ）を１８０ｋＨｚ、サブキャリア周波数帯域幅（Ｂｓｃ）を１５ｋＨｚ、１つの無線フレームを１０ミリ秒、サブフレーム（ＳＦ）を１ミリ秒とし、下りリンク無線フレーム全体として、時間方向に１０個、周波数方向に１１０個のＰＲＢが含まれる。また、１つのＰＲＢには１２本のサブキャリアが含まれるので、システム全体では１３２０本のサブキャリアが含まれる。ＴｓはＯＦＤＭシンボル長を表す。【００５０】
図１０に示すように、下りリンクパイロットチャネル（DPiCH、ＲＳを含む）は、各サブフレーム（ＳＦ）の先頭にマッピングされる。また、下りリンク報知チャネル（PBCH）と下りリンク同期チャネル（PSCH）とは、各無線フレームの先頭に１つおよび／または無線フレーム中に複数マッピングされている。各ＰＲＢの残りの一部は、下りリンク共用チャネル（PDSCH）として使用され、ＡＭＣＳを用いて各移動局に配分する。【００５１】
図５は、本実施の形態における移動局装置の一構成例を示す機能ブロック図である。図５に記載の移動局装置構成は、第１の実施の形態だけでなく、第２の実施の形態においても同様に適用される。図５に示すように、移動局装置２００は、データ制御部２０１と、ＤＦＴ−Ｓ−ＯＦＤＭ変調部２０２と、無線部２０３と、スケジューリング部２０４と、チャネル推定部２０５と、ＯＦＤＭ復調部２０６と、データ抽出部２０７と、上位層２０９と、を含んで構成されている。【００５２】
データ制御部２０１は、スケジューリング部２０４から制御データおよびユーザデータの入力を受けるとともに、これらのデータを、スケジューリング部２０４から入力されるスケジューリング情報に基づいて、上りリンク共用チャネル（PUSCH）と、上りリンク制御チャネル（PUCCH）と、にマッピングする。また、復調用パイロット（ＤＲＳ）やスケジューリングパイロット（ＳＲＳ）は、上りリンクパイロットチャネル（UPiCH）にマッピングされる。また、ランダムアクセス（競合ベースランダムアクセスおよび非競合ランダムアクセス）におけるプリアンブル送信の際、プリアンブルはランダムアクセスチャネル（RACH）にマッピングされる。【００５３】
移動局装置は、基地局装置から上りリンク共用チャネル（PUSCH）が割り当てられている場合、フィードバック情報（ＣＱＩフィードバック情報および／またはＡＣＫ／ＮＡＣＫフィードバック情報）は上りリンク共用チャネル（PUSCH）にマッピングされる。一方、上りリンク共用チャネル（PUSCH）が割り当てられていない場合、フィードバック情報（ＣＱＩフィードバック情報および／またはＡＣＫ／ＮＡＣＫフィードバック情報）は上りリンク制御チャネル（PUCCH）にマッピングされる。【００５４】
このようにマッピングされた各データは、ＤＦＴ−Ｓ−ＯＦＤＭ変調部２０２へ出力される。【００５５】
図６に、上りリンクにおける１つの無線フレーム（１０ミリ秒）の構成例を示しており、この上りリンク無線フレームは、複数の無線リソースブロックＰＲＢに分割される。縦軸は周波数、横軸は時間を示している。１つのＰＲＢ無線リソースは、周波数方向に１８０ｋＨｚ、時間方向に１ミリ秒の領域を単位として構成され、上りリンク共用チャネル（PUSCH）、上りリンク制御チャネル（PUCCH）、ランダムアクセスチャネル（RACH）がマッピングされる。また、上りリンクパイロットチャネル（UPiCH、ＤＲＳおよびＳＲＳを含む）は図示していないが、上りリンク共用チャネル（PUSCH）または上りリンク制御チャネル（PUCCH）の領域内に、シンボル単位、サブキャリア単位で分散してマッピングされる。【００５６】
ＤＦＴ−Ｓ−ＯＦＤＭ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどのＤＦＴ−Ｓ−ＯＦＤＭ信号処理を行い、ＤＦＴ−Ｓ−ＯＦＤＭ信号を生成して、無線部２０３へ出力する。【００５７】
尚、上りリンクの通信方式は、ＤＦＴ−Ｓ−ＯＦＤＭ等のようなシングルキャリア方式を想定しているが、代わりにＯＦＤＭ方式のようなマルチキャリア方式を用いても良い。【００５８】
無線部２０３は、ＤＦＴ−Ｓ−ＯＦＤＭ変調部２０２から入力された変調データを無線周波数にアップコンバートして無線信号を生成し、アンテナ（図示せず）を介して、基地局１００に送信する。【００５９】
また、無線部２０３は、基地局１００からの下りリンクのデータで変調された無線信号を、アンテナ（図示せず）を介して受信し、ベースバンド信号にダウンコンバートして、受信データを、チャネル推定部２０５およびＯＦＤＭ復調部２０６に出力する。【００６０】
スケジューリング部２０４は、チャネル推定部２０５から入力された下りリンクのチャネル状態（無線伝搬路状態）の推定結果や、データ抽出部２０７から入力された基地局１００からの上りリンクのスケジューリング情報、および、上位層２０９から入力されるスケジューリング情報に基づいて、上位層２０９から入力された上りリンクのユーザデータおよび制御データを各チャネルにマッピングするためのスケジューリング処理を行う。なお、上りリンクのＭＣＳについては、基地局１００から通知されたＭＣＳ値を利用する。これらスケジューリング情報は、データ制御部２０１へ出力される。スケジューリング部２０４は、ＭＡＣ  ｃｏｎｔｒｏｌ  Ｅｌｅｍｅｎｔの生成や、基地局装置１００との間でＭＡＣ  ｃｏｎｔｒｏｌ  Ｅｌｅｍｅｎｔをやり取りする。【００６１】
また、スケジューリング部２０４は、上位層２０９から入力された上りリンクの制御データとユーザデータをデータ制御部２０１へ出力する。また、ＭＢＭＳ要求部２０８から入力されたＭＢＭＳ要求をデータ抽出部２０１に出力する。また、スケジューリング部２０４は、チャネル推定部２０５から入力された下りリンクのチャネル品質情報（ＣＱＩフィードバック情報）や、データ抽出部２０７から入力されたＡＣＫ／ＮＡＣＫフィードバック情報についても、データ制御部２０１へ出力する。また、スケジューリング部２０４は、データ抽出部２０７から入力された下りリンクの制御データとユーザデータのうち、ユーザデータについては上位層２０９へ出力し、制御データについては、必要に応じて処理した後、上位層２０９へ出力する。【００６２】
チャネル推定部２０５は、下りリンクデータの復調のために、下りリンクパイロットチャネル（DPiCH）の参照信号（ＲＳ）から下りリンクのチャネル状態を推定し、その推定結果をＯＦＤＭ復調部２０６に出力する。また、チャネル推定部２０５は、基地局１００に下りリンクのチャネル状態推定結果を通知するために、この推定結果を下りリンクのチャネル品質情報（ＣＱＩフィードバック情報）に変換して、スケジューリング部２０４に出力する。【００６３】
ＯＦＤＭ復調部２０６は、チャネル推定部２０５から入力された下りリンクのチャネル状態推定結果に基づいて、無線部２０３から入力された変調データに対して、ＯＦＤＭ復調処理を施し、データ抽出部２０７に出力する。【００６４】
データ抽出部２０７は、ＯＦＤＭ復調部２０６から入力されたデータに対して、正誤を確認するとともに、確認結果（ＡＣＫ／ＮＡＣＫフィードバック情報）をスケジューリング部２０４に出力する。また、データ抽出部２０７は、ＯＦＤＭ復調部２０６から入力されたデータを、ユーザデータと制御データに分離して、スケジューリング部２０４に出力する。【００６５】
上位層２０９は、ユーザデータおよび制御データの処理を行う。上位層２０９は、無線リソース制御部２０９ａを有している。無線リソース制御部２０９ａは、ＲＲＣメッセージの生成や、基地局装置１００の無線リソース制御部１０９ａとＲＲＣメッセージをやり取りする。無線リソース制御部２０９ａは、基地局装置１００からのＲＲＣメッセージを保持し、関連機能部にパラメータをセットする。また、無線リソース制御部２０９ａは、自局の状態管理も行っている。【００６６】
また、無線リソース制御部２０９aは、ＭＢＭＳ要求部２０８を持ち、スケジューリング部２０４から入力されたデータをもとに、ＭＢＭＳサービスの送信が行われていない場合には、ＭＢＭＳサービス送信要求を含むＭＢＭＳ要求を生成し、スケジューリング部２０４に出力する。また、送信されているＭＢＭＳサービスの送信形態（ＭＣＳ値など）を変更させる、あるいは、上りリンクのフィードバックリソースを要求する場合には、ＭＢＭＳサービスフィードバック要求を含むＭＢＭＳ要求を生成し、スケジューリング部２０４に出力する。【００６７】
また、無線リソース制御部２０９ａは、基地局装置から受信した測定設定情報を設定し、基地局によって指定された測定項目について測定を行い、ＭＢＭＳ測定報告を行う条件に適合した場合に、ＭＢＭＳ測定報告を基地局へ送信する。【００６８】
図７、図８および図９は、本実施の形態による通信技術の仕組みを説明するための図である。図７は、基地局１０ｂがＳＣＰＴＭ送信でＭＢＭＳサービスを提供するセルにおいて、ＭＢＭＳサービスを受信している移動局２０ｂ（手順１））と、移動局２０ａが上記非特許文献２に記載の通常のセル再選択手法を利用してこのセルへ移動（セル再選択）してから（手順２））、基地局１０ｂからＭＢＭＳサービスを受信するまでの手順（手順３）、４）、５））を示す概念図である。なお、基地局１０ｂは、ＭＢＳＦＮ送信およびＳＣＰＴＭ送信の両方をサポートするセルであっても良い。【００６９】
図８は、移動局２０ａが、基地局１０ｂにおいてＳＣＰＴＭ送信によるＭＢＭＳサービスを提供していることを知り、基地局１０ｂに対してフィードバックリソースを要求し、基地局１０ｂによって指定されたフィードバックリソースを用いて、上りリンクのフィードバック情報を送信するまでの手順を示すシーケンス図である。図９は、図８の手順を通じて、移動局２０ａがアイドル状態から接続状態になるまでの状態遷移のフローチャートを示す図である。【００７０】
以下、図８のシーケンス図を用いて、アイドル状態の移動局が上りリンクのフィードバック情報を送信する際の流れを説明する。【００７１】
図７に示すように、初期状態では、移動局２０ｂは、基地局１０ｂにおいてＳＣＰＴＭ送信でＭＢＭＳサービスを受信している移動局の中で、上りリンクのフィードバック情報を送信している移動局を表している。すなわち、移動局２０ｂは接続状態にある。また、基地局１０ａと基地局１０ｂとは、それぞれ、移動局２０ａがセル再選択する際の移動元、移動先となる基地局である。【００７２】
アイドル状態の移動局２０ａは、セル再選択（図７の手順２））の結果、基地局１０ｂに対する下りリンク同期チャネル（PSCH）、下りリンク報知チャネル（PBCH）を受信・復調・復号する。また、移動局２０ａは、基地局１０ｂにおいてＳＣＰＴＭ送信でＭＢＭＳサービス提供を行っていることを知る。この知識は、基地局１０ｂから報知されるＭＢＭＳ関連情報から取得される（図８の手順１、図７−手順３））。ＭＢＭＳ関連情報は、論理チャネルであるBCCH（Broadcast Control Channel）またはMCCH（Multicast Control Channel）に含まれ、下りリンク共用チャネル（PDSCH）にマッピングされている。なお、ＭＢＭＳ関連情報には、基地局１０ｂにおいてＳＣＰＴＭ送信でＭＢＭＳサービス提供を行っていることを示す広告情報に加えて、ＭＢＭＳ要求のトリガー基準（後述）などが含まれる。【００７３】
尚、この知識は、移動局２０ａがこのセルへ移動する前の段階で、隣接する基地局（この場合は、基地局１０ａ）が報知する広告情報を通じて取得されてもよい。【００７４】
次に、移動局２０ａは、実際にこのセルにおいてＭＢＭＳサービスの送信が行われているかどうかを確認し、ＭＢＭＳ要求を行うかどうかを判断する（図８−手順２）。この判断は、ＭＢＭＳ要求部２０８が行う。このＭＢＭＳ要求シクナリングは、競合ベースでのランダムアクセス（contention based random access）を使って送信される。【００７５】
ＭＢＭＳ要求には２種類存在する。１つは、受信したいＭＢＭＳサービスの送信が行われていない場合に送信する「ＭＢＭＳサービス送信要求」である。もう１つは、送信されているＭＢＭＳサービスの送信形態（ＭＣＳ値など）を変更させるか、または、上りリンクのフィードバックリソースを要求する場合に送信する「ＭＢＭＳサービスフィードバック要求」である。【００７６】
すなわち、移動局２０ａは、受信したいＭＢＭＳサービスの送信が行われていない場合に、ＭＢＭＳ要求（ＭＢＭＳサービス送信要求メッセージ）を送信するために、基地局１０ｂに対して、後述のメッセージ１（Ｍｓｇ．１）を送信する（図８−手順３）。また、受信したいＭＢＭＳサービスの送信は行われているが、以下の条件（ＭＢＭＳ要求送信条件）に当てはまる場合には、ＭＢＭＳ要求（ＭＢＭＳサービスフィードバック要求メッセージ）を送信するために、基地局１０ｂに対して、後述のメッセージ１を送信する（図８−手順３）。【００７７】
条件１）ＭＢＭＳサービスの送信時に使用される下りリンク制御チャネル（PDCCH）を一定期間受信・復調・復号することができない場合。すなわち、ＭＢＭＳサービスの送信時に使用されるグループ識別子ＭＢＭＳ−ＲＮＴＩを一定期間検出できない場合。【００７８】
条件２）下りリンク制御チャネル（PDCCH）を受信・復調・復号することはできたが、下りリンク共用チャネル（PDSCH）の受信・復調・復号が一定期間できなかった場合。すなわち、下りリンク共用チャネル（PDSCH）に付加された巡回冗長検査CRC（Cyclic Redundancy Check）が一定期間成功しなかった場合。【００７９】
条件３）自局の下りリンクのチャネル状態（または品質）が、基地局１０ｂから報知される閾値以下（または未満）である場合。【００８０】
条件４）下りリンク制御チャネル（PDCCH）を受信・復調・復号することはできたが、下りリンク制御チャネル（PDCCH）において指定される下りリンク共用チャネル（PDSCH）を復調・復号するための送信形態（ＭＣＳ値など）が、自局の下りリンクのチャネル状態（または品質）と合わない場合。すなわち、自局の下りリンクのチャネル状態（または品質）に対してＭＣＳ値が高すぎる（自局の下りリンクチャネル状態よりも良いチャネル状態に対応したＭＣＳ値である）ため、ＭＢＭＳサービスを含む下りリンク共用チャネル（PDSCH）を受信・復調・復号できない場合である。【００８１】
上記の条件３）について、以下において、さらに詳細に説明する。移動局２０ａは、セル選択／再選択（図７の手順２））を通じて、基地局１０ｂに対する下りリンク同期チャネル（PSCH）、下りリンクパイロットチャネル（DPiCH）の測定を行う。すなわち、
ａ）基地局１０ｂに対応した下りリンク同期チャネル（PSCH）に含まれる同期符号の相関値や、基地局１０ｂに対応した下りリンクパイロットチャネル（DPiCH）に含まれる参照信号（ＲＳ）符号の相関値（例えばdB値、mV値）。【００８２】
ｂ）相関値から算出した下りリンク同期チャネル（PSCH）の受信電力値や下りリンクパイロットチャネル（DPiCH）の受信電力値（RSRP: Reference Signal Received Power）（例えばｄＢｍ値、ｍＷ値）。【００８３】
ｃ）下りリンク報知チャネル（PBCH）によって報知された下りリンク同期チャネル（PSCH）や下りリンクパイロットチャネル（DPiCH）の送信電力、および、下りリンク同期チャネル（PSCH）や下りリンクパイロットチャネル（DPiCH）の受信電力値から算出した移動局と基地局間の無線伝播損失値（例えばパスロス、dB値）
ｄ）下りリンクＯＦＤＭ信号から検出した搬送波受信信号強度（ＲＳＳＩ：EUTRA carrier Received Signal Strength Indicator、例えばｄＢｍ値、ｍＷ値）
などである。【００８４】
移動局２０ａは、これらの測定結果の１つまたは複数を用いて、基地局１０ｂから報知される閾値と比較し、下りリンクのチャネル状態（または品質）の判定を行う。そして、所定の閾値以下（または未満）の場合、移動局２０ａは、ＭＢＭＳ要求（ＭＢＭＳサービスフィードバック要求メッセージ）を送信するために、基地局１０ｂに対して、後述のメッセージ１を送信する。【００８５】
尚、上記条件は、これらに限定されるものではない。また、単一の条件に合致した場合に限らず、複数の条件に合致した場合として動作させるようにしてもよい。条件１、条件２、条件４は、ＭＢＭＳの受信状況に関する閾値であり、条件３は、チャネル状態に関する閾値である。  以上、上記条件１）から４）のいずれかの条件に合致したことを検出した移動局は、すぐに、競合型ランダムアクセス手順を経て、ＭＢＭＳ要求（ＭＢＭＳサービスフィードバック要求）を送信する。また、受信したいＭＢＭＳサービスの送信が行われていないことを検出した移動局も、同様に、すぐに、競合型ランダムアクセス手順を経て、ＭＢＭＳ要求（ＭＢＭＳサービス送信要求メッセージ）を送信する。【００８６】
さらに、基地局１０ｂが、以下のようなＭＢＭＳ要求の発生頻度を制御するための情報（ＭＢＭＳ要求のトリガー基準:MBMS Trigger Criteria）を報知することによって、移動局は、ＭＢＭＳ要求の発生頻度を制御することが可能である。【００８７】
基準１）ＭＢＭＳ要求の禁止
基準２）ＭＢＭＳサービスの送信の有無
基準３）ＭＢＭＳサービスの送信に使用される下りリンク制御チャネル（PDCCH）の受信不能判定期間の閾値
基準４）ＭＢＭＳサービスの送信に使用される下りリンク共用チャネル（PDSCH）の受信不能判定期間の閾値
基準５）ＭＢＭＳサービスフィードバック要求用の下りリンクチャネル状態の閾値
基準６）ＭＢＭＳサービスの送信に使用される下りリンク共用チャネル（PDSCH）の送信形態（ＭＣＳ値など）の不適合判定期間の閾値
上記基準１）を利用する場合、基地局から「ＭＢＭＳ要求の禁止」を受信していない移動局は、ＭＢＭＳ要求（ＭＢＭＳサービス送信要求、または、ＭＢＭＳサービスフィードバック要求）の送信が可能であることを判断する。一方、「ＭＢＭＳ要求の禁止」を受信している移動局は、上記条件１）から４）のいずれかを満たす場合であっても、ＭＢＭＳ要求（ＭＢＭＳサービスフィードバック要求）および／またはＭＢＭＳ要求（ＭＢＭＳサービス送信要求）の送信はしない。【００８８】
また、上記基準２）のＭＢＭＳサービスの送信の有無とは、ＭＢＭＳサービスの提供が広告されているが、実際のデータ送信が開始されているかどうかを示している。上記基準２）を利用する場合、移動局は、基地局から「ＭＢＭＳサービスの送信の有無」を受信することで、ＭＢＭＳサービスが送信されていないことを検出した場合にのみ、ＭＢＭＳ要求（ＭＢＭＳサービス送信要求）を送信する。【００８９】
また、上記基準３）を利用する場合、基地局から「ＭＢＭＳサービスの送信に使用される下りリンク制御チャネル（PDCCH）の受信判定不能期間の閾値」を受信することで、ＭＢＭＳサービス送信に使用される下りリンク制御チャネル（PDCCH）を受信・復調・復号できない期間に応じて、移動局は、ＭＢＭＳ要求（ＭＢＭＳサービスフィードバック要求）を送信すべきかを判断する。すなわち、閾値を越えている（または以上である）移動局のみが、ＭＢＭＳ要求（ＭＢＭＳサービスフィードバック要求）を送信する。なお、この閾値は、ＳＣＰＴＭ送信を用いてＭＢＭＳサービスを行うセル全てに共通の値でも良い。【００９０】
また、上記基準４）を利用する場合、基地局から「ＭＢＭＳサービスの送信に使用される下りリンク共用チャネル（PDSCH）の受信判定不能期間の閾値」を受信することで、ＭＢＭＳサービス送信に使用される下りリンク共用チャネル（PDSCH）を受信・復調・復号できない期間に応じて、移動局は、ＭＢＭＳ要求（ＭＢＭＳサービスフィードバック要求）を送信すべきかを判断する。すなわち、閾値を越えている（または以上である）移動局のみが、ＭＢＭＳ要求（ＭＢＭＳサービスフィードバック要求）を送信する。なお、この閾値も、ＳＣＰＴＭ送信を用いてＭＢＭＳサービスを行うセル全てに共通の値でも良い。【００９１】
また、上記基準５）を利用する場合、基地局から「ＭＢＭＳサービスフィードバック要求用の下りリンクチャネル状態の閾値」を受信することで、自局の下りリンクチャネル状態が閾値（上記の条件３）に記載した閾値に相当）以下（または未満）になった移動局のみが、ＭＢＭＳ要求（ＭＢＭＳサービスフィードバック要求）を送信することを判断する。なお、この閾値も、ＳＣＰＴＭ送信を用いてＭＢＭＳサービスを行うセル全てに共通の値でも良い。【００９２】
また、上記基準６）を利用する場合、基地局から「ＭＢＭＳサービスの送信に使用される下りリンク共用チャネル（PDSCH）の送信形態の不適合判定期間の閾値」を受信することで、ＭＢＭＳサービスの送信に使用される下りリンク共用チャネル（PDSCH）の送信形態（ＭＣＳ値など）が不適切である期間に応じて、移動局は、ＭＢＭＳ要求（ＭＢＭＳサービスフィードバック要求）を送信すべきかを判断する。すなわち、閾値を越えている（または以上である）移動局のみが、ＭＢＭＳ要求（ＭＢＭＳサービスフィードバック要求）を送信する。なお、この閾値も、ＳＣＰＴＭ送信を用いてＭＢＭＳサービスを行うセル全てに共通の値でも良い。【００９３】
尚、上記基準（ＭＢＭＳ要求のトリガー基準）は、これに限られるものではない。また、単一の基準に合致した場合に限らず複数の基準に合致した場合として動作させるようにしてもよい。【００９４】
ここで、ランダムアクセスについて説明を行う。ランダムアクセスには、競合ベースランダムアクセス（Ｃｏｎｔｅｎｔｉｏｎ  ｂａｓｅｄ  Ｒａｎｄｏｍ  Ａｃｃｅｓｓ）と非競合ベースランダムアクセス（Ｎｏｎ−ｃｏｎｔｅｎｔｉｏｎ  ｂａｓｅｄ  Ｒａｎｄｏｍ  Ａｃｃｅｓｓ）との２つのアクセス方法がある。前者は、移動局間で衝突する可能性のあるランダムアクセスであり、後者は移動局間で衝突が発生しないランダムアクセスである。本実施の形態では、前者を利用するため、ここでは前者の手順について説明を行う。【００９５】
競合ベースランダムアクセスは、移動局２０ａがプリアンブル（メッセージ１）を送信することから開始される。プリアンブルには、情報を表す信号パターンであるプリアンブルＩＤが含まれている。現在、プリアンブルＩＤは６ビット（すなわち６４種類）を用意することが想定されている。また、６ビットの情報は、５ビットがランダムＩＤ、残りの１ビットが下りリンクのパスロス／ＣＱＩなどのような情報を割り当てるように想定されている。以上のように、移動局２０ａは、ランダムＩＤ、下りリンクのパスロス／ＣＱＩなどをもとに、プリアンブルＩＤを選択し、ランダムアクセスチャネル（RACH）でプリアンブルを送信する（図８−手順３）。尚、このメッセージ１は、メッセージ３（後述する）を送信するための上りリンクリソースを要求する意味もある。【００９６】
基地局１０ｂは、移動局２０ａからのプリアンブルを受信すると、下りリンク制御チャネル（PDCCH）に、そのランダムアクセスチャネル（RACH）でプリアンブルを送信した移動局２０ａ宛の応答を示すＲＡ−ＲＮＴＩ（Random Access - Radio Network Temporary Identity）を配置するとともに、下りリンク共用チャネル（PDSCH）に、同期タイミングずれ情報、メッセージ３（後述）のスケジューリング情報、Ｔｅｍｐｏｒａｒｙ  Ｃ−ＲＮＴＩ（Temporary Cell-Radio Network Temporary Identity）、および、受信したプリアンブルのプリアンブルＩＤなどを含んだランダムアクセスレスポンス（メッセージ２）を送信する（図８−手順４）。【００９７】
移動局２０ａは、下りリンク制御チャネル（PDCCH）にＲＡ−ＲＮＴＩがあることを確認すると、下りリンク共用チャネル（PDSCH）に配置されたランダムアクセスレスポンスの中身を確認して、自局が送信したプリアンブルのプリアンブルＩＤが含まれるかどうかを検出する。【００９８】
尚、移動局２０ａは、基地局１０ｂからのランダムアクセスレスポンスを一定期間待ち続け、送信したプリアンブルＩＤを含んだランダムアクセスレスポンスを受信しない場合は、この手順から離脱し、再度プリアンブルを送信する（図８−手順３）。【００９９】
移動局２０ａは、自局が送信したプリアンブルＩＤを検出すると、スケジューリングされた無線リソースにおいて、メッセージ３を送信する（図８−手順５）。メッセージ３には、ＲＲＣ接続要求（Radio Resource Control Connection Request）、ＭＢＭＳ要求およびチャネル品質情報（ＣＱＩフィードバック情報）が含まれる。【０１００】
ＲＲＣ接続要求は、アイドル状態の移動局が接続状態に遷移するときに使用される情報であり、移動局のNAS ID（Non-Access-Stratum Identity）（例えば、ＩＭＳＩ（International Mobile Subscriber Identity）やＴＭＳＩ（Temporary Mobile Subscriber Identity））や、選択したPLMN ID（Public Land Mobile Network Identity）などが含まれ、ＲＲＣメッセージとして送信される。【０１０１】
このＲＲＣ接続要求と共にＭＢＭＳ要求が送信される。すなわち、ＭＢＭＳ要求は、ＲＲＣメッセージと呼ばれるＬ３（Ｌａｙｅｒ３）レベルの制御情報として送信され、ＭＢＭＳサービスフィードバック要求メッセージまたはＭＢＭＳサービス送信要求メッセージが含まれる。また、それぞれのメッセージには、どのＭＢＭＳサービスに対する要求であるかを識別するためのＭＢＭＳサービスＩＤが含まれる。このように、ＭＢＭＳ要求はＲＲＣ接続要求に含めて送信しても良いが、別メッセージとして送信しても良い。別メッセージとして送られる場合は、ＲＲＣ接続セットアップ後の移動局からのＲＲＣ信号に含められる。【０１０２】
また、ＭＢＭＳ要求には、チャネル品質情報がさらに含まれる。チャネル品質情報は、ＭＡＣ  ｃｏｎｔｒｏｌ  Ｅｌｅｍｅｎｔと呼ばれるＬ２（Ｌａｙｅｒ２）レベルの制御情報として送信されてもよいし、ＲＲＣメッセージに含まれても良い。また、このＭＢＭＳ要求では、チャネル品質情報とは異なる詳細なＭＢＭＳサービスの受信状況を示す情報（例えば、上記ＭＢＭＳ要求送信条件の合致状況など）を送信しても良い。これによって、基地局でのフィードバックリソース割り当ての判断が容易になる。【０１０３】
基地局１０ｂは、移動局２０ａからのＲＲＣ接続要求（メッセージ３）を受信すると、ＲＲＣ接続セットアップ（Radio Resource Control Connection Setup）を含むメッセージ４を移動局２０ａに送信する（図８−手順７）。このＲＲＣ接続セットアップには、基地局１０ｂがメッセージ３で検出したNAS IDを含めることによって、移動局２０ａが、自局宛のＲＲＣ接続セットアップかどうかを判断するためのコンテンションレゾリューションメッセージも兼ねている。移動局２０ａは、自局のNAS IDを含むＲＲＣ接続セットアップを受信した場合は、移動局２０ａと基地局１０ｂとのＲＲＣ接続が確立され、この競合ベースランダムアクセス手順は終了する。【０１０４】
基地局１０ｂは、メッセージ３に含まれるＭＢＭＳ要求がＭＢＭＳサービス送信要求である場合は、ＭＢＭＳサービスの送信を開始して、メッセージ３で取得したチャネル品質情報（ＣＱＩフィードバック情報）に基づいて、移動局２０ａに上りリンクのフィードバックリソースを割り当てるかどうかを判断する（図８−手順６）。また、基地局１０ｂは、そのＭＢＭＳ要求がＭＢＭＳサービスフィードバック要求である場合は、メッセージ３で取得したチャネル品質情報（ＣＱＩフィードバック情報）に基づいて、移動局２０ａに上りリンクのフィードバックリソースを割り当てるかどうかを判断する（図８−手順６）。ここでは、複数の移動局からＭＢＭＳ要求（ＭＢＭＳサービス送信要求、または、ＭＢＭＳサービスフィードバック要求）を受信し、最も悪いチャネル品質情報（ＣＱＩフィードバック情報）を送信した移動局に対して上りリンクのフィードバックリソースを割り当てる。すなわち、基地局１０ｂは、状況によっては（最も悪いチャネル品質情報を送信した移動局で無い場合は）、このＲＲＣ接続セットアップにおいて、上りリンクのフィードバックリソースを割り当てない場合や、ＲＲＣ接続セットアップではなくＲＲＣ接続リジェクト（メッセージ３で受信したＲＲＣ接続要求を拒絶するメッセージ）を送信する場合もありうる。このスケジューリング方法により、上りリンクのフィードバックリソースのオーバヘッド削減が可能となる。【０１０５】
以上、ＳＣＰＴＭ送信でＭＢＭＳサービスを受信した場合に上りリンクのフィードバックリソースを割り当てた場合は、メッセージ４として、ＲＲＣ接続セットアップとともに、フィードバックリソースの割り当て情報を送信する。フィードバックリソースの割り当て情報は、上りリンク制御チャネル（PUCCH）または上りリンク共用チャネル（PUSCH）のリソース割り当て、送信周期、フィードバック情報（チャネル品質情報および／またはＡＣＫ／ＮＡＣＫフィードバック情報）のフォーマットなどで構成される。【０１０６】
なお、フィードバックリソース割り当て情報は、ＲＲＣ接続セットアップに含んでも良いし、別メッセージとして送っても良い。別メッセージとして送られる場合は、ＲＲＣ接続セットアップ後の基地局からのＲＲＣ信号に含められる。【０１０７】
ここでは、基地局１０ｂは、移動局２０ａに対して、フィードバックリソースを割当てるものとする。【０１０８】
メッセージ４において、自局のNAS IDを含むＲＲＣ接続セットアップを受信した移動局２０ａは、これ以降（図８−手順８以降）、フィードバックリソース割り当て情報で指定されたリソース（上りリンク制御チャネル（PUCCH）または上りリンク共用チャネル（PUSCH））を利用して、チャネル品質情報（ＣＱＩフィードバック情報）、および／または、ＡＣＫ／ＮＡＣＫを送信する。【０１０９】
このように、一般に、上りリンクリソースは有限であるため、基地局は、上りリンクのフィードバック情報を送信する移動局数が一定数に達している場合に、より悪いチャネル品質情報（ＣＱＩフィードバック情報）を返す移動局が現れた場合には、その移動局に対して上りリンクのフィードバックリソースを割り当てると共に、他の移動局の上りリンクのフィードバックリソースを解放するようにスケジューリングを行う。なお、基地局は、上りリンクのフィードバック情報を送信する移動局数が一定数に達していない場合に、より悪いチャネル品質情報（ＣＱＩフィードバック情報）を返す移動局が現れた場合には、その移動局に対して上りリンクのフィードバックリソースを割り当てたとしても、他の移動局の上りリンクのフィードバックリソースを必ずしも解放する必要はない（ただし、解放しても良い）。【０１１０】
また、基地局は、より良いチャネル品質情報（ＣＱＩフィードバック情報）を返す移動局が現れた場合には、その移動局に対する上りリンクのフィードバックリソースの割り当てを解放するようスケジューリングを行ってもよい。【０１１１】
次に、図９について、図８を参照しながら説明を行う。移動局は、アイドル状態（ＲＲＣ＿ＩＤＬＥ）でセル再選択処理を定期的に行っている（図９−ステップＳ１）。【０１１２】
その後、基地局１０ｂからの下りリンク同期チャネル（PSCH）や、下りリンク報知チャネル（PBCH）を受信・復調・復号し、下りリンク共用チャネル（PDSCH）等で報知されるＭＢＭＳ関連情報を取得する。ＭＢＭＳ関連情報には、基地局１０ｂがＳＣＰＴＭ送信でのＭＢＭＳサービス提供を行っていること示す広告情報、前述のＭＢＭＳ要求のトリガー基準などが含まれる（図９−ステップＳ２）。なお、ＭＢＭＳを受信する移動局２０aは、アイドル状態でありながらＭＢＭＳサービスを受信できるため、接続状態用の報知情報も受信する。これによって、ＭＢＭＳ関連情報および測定設定（Measurement Configuration）情報（後述）を、アイドル状態および接続状態の移動局双方が受信することが可能となる。【０１１３】
移動局２０ａは、受信したいＭＢＭＳサービスにおいて、ＭＢＭＳ要求を行う条件（トリガー基準に基づいたＭＢＭＳ要求送信条件）に一致した場合に（図９−ステップＳ３でＹＥＳの場合）、ＭＢＭＳ要求の送信処理に入る。一方、条件に合致しない場合（図９−ステップＳ３でＮＯの場合）は、図９−ステップＳ１に戻る。【０１１４】
図９−ステップＳ４は、図８−手順３〜手順５に対応する処理である。すなわち、移動局２０ａは、基地局１０ｂに対してプリアンブルを送信し、基地局１０ｂからメッセージ３送信のためのスケジューリング情報などを含むランダムアクセスレスポンスを受信し、基地局１０ｂに対してＲＲＣ接続要求（自局のNAS ID含む）・ＭＢＭＳ要求・チャネル品質情報（ＣＱＩフィードバック情報）を含むメッセージ３を送信する。【０１１５】
次に、基地局１０ｂから自局宛のNAS IDを含むＲＲＣ接続セットアップと上りリンクのフィードバックリソースの割り当て情報を含むメッセージ４を受信した場合（図９−ステップＳ５でＹＥＳの場合）、移動局２０ａは接続状態（ＲＲＣ＿ＣＯＮＮＥＣＴＥＤ）に遷移するとともに、指定された上りリンクのフィードバックリソースを用いて基地局へフィードバック情報（ＣＱＩフィードバック情報および／またはＡＣＫ／ＮＡＣＫフィードバック情報）を送信する（図９−ステップＳ６）。これ以外の場合は（図９−ステップＳ５でＮＯの場合）、接続状態には遷移することなくアイドル状態のまま、図９−ステップＳ１に戻る。また、基地局１０ｂからＲＲＣ接続リジェクトを受信した場合も（図９−ステップＳ５でＮＯの場合）、接続状態には遷移することなくアイドル状態のまま、図９−ステップＳ１に戻る。【０１１６】
このように、一般に、上りリンクリソースは有限であるため、基地局は、上りリンクのフィードバック情報を送信する移動局数が一定数に達している場合に、より悪いチャネル状態、ＭＢＭＳ受信状況を返す移動局が現れた場合には、その移動局に対して上りリンクのフィードバックリソースを割り当てると共に、他の移動局の上りリンクのフィードバックリソースを解放するようにスケジューリングを行う。尚、基地局は、上りリンクのフィードバック情報を送信する移動局数が一定数に達していない場合に、より悪いチャネル状態、ＭＢＭＳ受信状況を返す移動局が現れた場合には、その移動局に対して上りリンクのフィードバックリソースを割り当てたとしても、他の移動局の上りリンクのフィードバックリソースを必ずしも解放する必要はない（但し、解放しても良い）。【０１１７】
また、基地局は、より良いチャネル状態、ＭＢＭＳ受信状況を返す移動局が現れた場合には、その移動局に対する上りリンクのフィードバックリソースの割り当てを解放するようスケジューリングを行ってもよい。【０１１８】
本実施の形態による通信技術によれば、移動局は、ＭＢＭＳ要求を行う条件に適合した場合に、基地局に対してＭＢＭＳ要求を送信する。これにより、基地局は、移動局に対して、ＳＣＰＴＭ送信でのＭＢＭＳサービス提供を効率的に行うことができる。【０１１９】
＜更なる変形例＞
上記第１の実施の形態では、アイドル状態の移動局が、ＳＣＰＴＭ送信でＭＢＭＳサービスを提供するセルへセル再選択をした場合を例にとって説明を行った。しかしながら、例えば、もともとそのセルにおいて、上りリンクのフィードバックリソースが割り当てられておらず、ＭＢＭＳサービスを受信しているアイドル状態の移動局の下りリンクのチャネル状態（または品質）やＭＢＭＳ受信状況が劣化した場合に対しても、図８や図９に記載のシーケンス図、フローチャートを適用することができる。【０１２０】
（第２の実施の形態）
次に、本発明の第２の実施の形態による通信技術について図面を参照しながら説明を行う。図１１は、本発明の第２の実施の形態による通信技術の仕組みを説明するための図である。図１１には、基地局１０ｂがＳＣＰＴＭ送信でＭＢＭＳサービスを提供するセル２３と、移動局２０ｃと２０ｆが記述されている。ここでは、移動局２０ｃは基地局１０ｂからＭＢＭＳサービスを受信し、上りリンクのフィードバック情報を送信している接続状態の移動局を表しており、移動局２０ｆはＭＢＭＳサービスを受信しているが、基地局１０ｂに対して上りリンクのフィードバック情報を送信していない接続状態の移動局を表している。また、基地局１０ｂの構成や、移動局２０ｃと２０ｆの構成は、第１の実施形態に記載の構成を利用する。また、図１２は、基地局１０ｂがＳＣＰＴＭ送信でＭＢＭＳサービスを提供するセル２３において、ＭＢＭＳサービスを受信しているが、基地局１０ｂに対して接続状態にある移動局２０ｃおよび２０ｆが、基地局１０ｂに対してＭＢＭＳ測定報告を送信するまでの手順を示すシーケンス図である。【０１２１】
以下、図１２のシーケンス図を参照しながら、接続状態の移動局が上りリンクのフィードバック情報を送信する際の流れについて説明する。以下においては、適宜、図１１も参照しながら説明する。【０１２２】
図１２に示すように、既にＭＢＭＳサービスを受信しているが、基地局１０ｂに対して接続状態にある移動局２０ｃおよび２０ｆは、基地局１０ｂに対する下りリンク同期チャネル（PSCH）、下りリンク報知チャネル（PBCH）を受信・復調・復号している。また、移動局２０ｃおよび２０ｆは、基地局１０ｂにおいてＳＣＰＴＭ送信でＭＢＭＳサービス提供を行っていることも既に知っている。【０１２３】
この知識は、基地局１０ｂから報知されるＭＢＭＳ関連情報から取得される（図１２の手順１１）。ＭＢＭＳ関連情報は、論理チャネルであるBCCHまたはMCCHに含まれ、下りリンク共用チャネル（PDSCH）にマッピングされている。尚、ＭＢＭＳ関連情報には、基地局１０ｂにおいてＳＣＰＴＭ送信でＭＢＭＳサービス提供を行っていることを示す広告情報に加えて、後述するＭＢＭＳ測定報告のトリガー基準などが含まれる。【０１２４】
次に、移動局２０ｃおよび２０ｆは、基地局１０ｂから測定設定（Measurement Configuration）情報を、定期的またはトリガー的に受信している（図１２の手順１２）。測定設定情報には、後述の測定報告（Measurement Report）基準（定期報告（Periodic Reporting）、イベント発生時報告（Event Triggered Reporting）、または、イベント発生時定期報告（Event Triggered Periodic Reporting）など）、測定項目（参照信号受信電力（RSRP：Reference Signal Received Power）、搬送波受信信号強度（RSSI）、または、参照信号受信品質（RSRQ：Reference Signal Received Quality）など）、測定項目の閾値、測定ＩＤ（Measurement Identity）、測定コマンド（Measurement Command）、および、測定報告フォーマットなどが含まれている。【０１２５】
測定報告基準は、移動局が測定した結果を、どのタイミングで基地局に対して送信するかを規定する情報である。【０１２６】
測定項目は、基地局から送信される信号のうち、どの信号を測定の対象とするかを表す。【０１２７】
また、測定ＩＤは、測定の対象が、搬送波周波数が同一であるＥＵＴＲＡＮ（EUTRA Network）の基地局からの信号であるのか、搬送波周波数が異なるＥＵＴＲＡ内の基地局からの信号であるのか、ＥＵＴＲＡＮ以外（すなわちＵＴＲＡＮ（Universal Terrestrial Radio Access Network）およびＧＥＲＡＮ）の基地局からの信号であるのか、を指定するために利用される。【０１２８】
また、測定コマンドは、基地局が移動局に対して、測定の開始・停止命令や測定設定情報の更新を通知するために使用される。すなわち、移動局における測定の開始や停止は、基地局によって指定される。【０１２９】
前記測定設定情報は、ＲＲＣメッセージ（移動局特有情報またはセル特有情報）として送信される。移動局特有情報の場合はＲＲＣ信号として、セル特有情報の場合は報知信号として送信される。【０１３０】
本実施の形態では、通常ハンドオーバーなどのために使用されるイベント発生時報告（Event Triggered Reporting）時の測定報告基準に、ＭＢＭＳ測定報告基準を追加する。【０１３１】
ＭＢＭＳ測定報告には２種類存在する。ＭＢＭＳ測定報告のうちの１つは、受信したいＭＢＭＳサービスの送信が行われていない場合に送信する「ＭＢＭＳサービス送信要求報告」である。ＭＢＭＳ測定報告のうちのもう１つは、送信されているＭＢＭＳサービスの送信形態（ＭＣＳ値など）を変更させるか、または、上りリンクのフィードバックリソースを要求する場合にトリガーされる「ＭＢＭＳサービスフィードバック要求報告」である。【０１３２】
移動局２０ｃおよび２０ｆは、実際にこのセルにおいて、ＭＢＭＳ測定報告を送信するか否かを判断する（図１２−手順１３）。この判断は、無線リソース制御部２０９が行う。【０１３３】
すなわち、移動局２０ｃおよび２０ｆは、受信したいＭＢＭＳサービスの送信が行われていない場合に、ＭＢＭＳ測定報告（ＭＢＭＳサービス送信要求報告メッセージ）を送信する（図１２の手順１４）。また、受信したいＭＢＭＳサービスの送信は行われているが、以下の条件（ＭＢＭＳ測定報告条件）に当てはまる場合には、ＭＢＭＳ測定報告（ＭＢＭＳサービスフィードバック要求報告メッセージ）を送信する（図１２の手順１４）。ＭＢＭＳ測定報告条件は、第１の実施の形態において記載したＭＢＭＳ要求送信条件と同様のものを用いることができる。以下に条件を示す。【０１３４】
条件１）ＭＢＭＳサービスの送信時に使用される下りリンク制御チャネル（PDCCH）を一定期間受信・復調・復号することができない場合。すなわち、ＭＢＭＳサービスの送信時に使用されるグループ識別子ＭＢＭＳ−ＲＮＴＩを一定期間検出できない場合。【０１３５】
条件２）下りリンク制御チャネル（PDCCH）を受信・復調・復号することはできたが、下りリンク共用チャネル（PDSCH）の受信・復調・復号が一定期間できなかった場合。すなわち、下りリンク共用チャネル（PDSCH）に付加された巡回冗長検査CRC（Cyclic Redundancy Check）が一定期間成功しなかった場合。【０１３６】
条件３）自局の下りリンクのチャネル状態（または品質）が、基地局１０ｂから報知される閾値以下（または未満）である場合。【０１３７】
条件４）下りリンク制御チャネル（PDCCH）を受信・復調・復号することはできたが、下りリンク制御チャネル（PDCCH）において指定される下りリンク共用チャネル（PDSCH）を復調・復号するための送信形態（ＭＣＳ値など）が、自局の下りリンクのチャネル状態（または品質）と合わない場合。すなわち、自局の下りリンクのチャネル状態（または品質）に対してＭＣＳ値が高すぎる（自局の下りリンクチャネル状態よりも良いチャネル状態に対応したＭＣＳ値である）ため、ＭＢＭＳサービスを含む下りリンク共用チャネル（PDSCH）を受信・復調・復号できない場合。【０１３８】
尚、上記の条件は、これに限定されるものではない。また、単一の条件に合致した場合に限らず、複数の条件に合致した場合として動作させるようにしてもよい。条件１、条件２、条件４は、ＭＢＭＳの受信状況に関する閾値であり、条件３は、チャネル状態に関する閾値である。【０１３９】
以上のように、上記条件１）から４）のいずれかの条件に合致したことを検出した移動局は、上りリンクでＭＢＭＳ測定報告（ＭＢＭＳサービスフィードバック要求報告メッセージ）を送信する。また、受信したいＭＢＭＳサービスの送信が行われていないことを検出した移動局も、同様に、すぐに、ＭＢＭＳ測定報告（ＭＢＭＳサービス送信要求報告メッセージ）を送信する。【０１４０】
さらに、基地局１０ｂが、以下のようなＭＢＭＳ測定報告の発生頻度を制御するための情報（ＭＢＭＳ測定報告のトリガー基準：MBMS Trigger Criteria）を報知することによって、移動局は、ＭＢＭＳ要求の発生頻度を制御することが可能である。【０１４１】
基準１）ＭＢＭＳ測定報告の禁止
基準２）ＭＢＭＳサービスの送信の有無
基準３）ＭＢＭＳサービスの送信に使用される下りリンク制御チャネル（PDCCH）の受信不能判定期間の閾値
基準４）ＭＢＭＳサービスの送信に使用される下りリンク共用チャネル（PDSCH）の受信不能判定期間の閾値
基準５）ＭＢＭＳサービスフィードバック要求報告用の下りリンクチャネル状態の閾値
基準６）ＭＢＭＳサービスの送信に使用される下りリンク共用チャネル（PDSCH）の送信形態（ＭＣＳ値など）の不適合判定期間の閾値
上記基準１）を利用する場合に、基地局から「ＭＢＭＳ測定報告の禁止」を受信していない移動局は、ＭＢＭＳ測定報告（ＭＢＭＳサービス送信要求報告、または、ＭＢＭＳサービスフィードバック要求報告）の送信が可能であることを判断する。一方、「ＭＢＭＳ測定報告の禁止」を受信している移動局は、上記条件１）から４）のいずれかを満たす場合であっても、ＭＢＭＳ測定報告（ＭＢＭＳサービスフィードバック要求報告）および／またはＭＢＭＳ測定報告（ＭＢＭＳサービス送信要求報告）の送信はしない。【０１４２】
また、上記基準２）のＭＢＭＳサービスの送信の有無とは、ＭＢＭＳサービスの提供が広告されているが、実際のデータ送信が開始されているか否かを示している。上記基準２）を利用する場合には、移動局は、基地局から「ＭＢＭＳサービスの送信の有無」を受信することで、ＭＢＭＳサービスが送信されていないことを検出した場合にのみ、ＭＢＭＳ測定報告（ＭＢＭＳサービス送信要求報告）を送信する。【０１４３】
また、上記基準３）を利用する場合には、基地局から「ＭＢＭＳサービスの送信に使用される下りリンク制御チャネル（PDCCH）の受信判定不能期間の閾値」を受信することで、ＭＢＭＳサービス送信に使用される下りリンク制御チャネル（PDCCH）を受信・復調・復号できない期間に応じて、移動局は、ＭＢＭＳ測定報告（ＭＢＭＳサービスフィードバック要求報告）を送信すべきかを判断する。すなわち、閾値を越えている（または以上である）移動局のみが、ＭＢＭＳ測定報告（ＭＢＭＳサービスフィードバック要求報告）を送信する。なお、この閾値は、ＳＣＰＴＭ送信を用いてＭＢＭＳサービスを行うセル全てに共通の値でも良い。【０１４４】
また、上記基準４）を利用する場合には、基地局から「ＭＢＭＳサービスの送信に使用される下りリンク共用チャネル（PDSCH）の受信判定不能期間の閾値」を受信することで、ＭＢＭＳサービス送信に使用される下りリンク共用チャネル（PDSCH）を受信・復調・復号できない期間に応じて、移動局は、ＭＢＭＳ測定報告（ＭＢＭＳサービスフィードバック要求報告）を送信すべきかを判断する。すなわち、閾値を越えている（または以上である）移動局のみが、ＭＢＭＳ測定報告（ＭＢＭＳサービスフィードバック要求報告）を送信する。なお、この閾値も、ＳＣＰＴＭ送信を用いてＭＢＭＳサービスを行うセル全てに共通の値でも良い。【０１４５】
また、上記基準５）を利用する場合には、基地局から「ＭＢＭＳサービスフィードバック要求報告用の下りリンクチャネル状態の閾値」を受信することで、自局の下りリンクチャネル状態が閾値（上記条件３）に記載の閾値に相当）以下（または未満）になった移動局のみが、ＭＢＭＳ測定報告（ＭＢＭＳサービスフィードバック要求報告）を送信することを判断する。尚、この閾値も、ＳＣＰＴＭ送信を用いてＭＢＭＳサービスを行うセル全てに共通の値であっても良い。【０１４６】
また、上記基準６）を利用する場合には、基地局から「ＭＢＭＳサービスの送信に使用される下りリンク共用チャネル（PDSCH）の送信形態の不適合判定期間の閾値」を受信することで、ＭＢＭＳサービスの送信に使用される下りリンク共用チャネル（PDSCH）の送信形態（ＭＣＳ値など）が不適切である期間に応じて、移動局は、ＭＢＭＳ測定報告（ＭＢＭＳサービスフィードバック要求報告）を送信すべきか否かを判断する。すなわち、閾値を越えている（または以上である）移動局のみが、ＭＢＭＳ測定報告（ＭＢＭＳサービスフィードバック要求報告）を送信する。なお、この閾値も、ＳＣＰＴＭ送信を用いてＭＢＭＳサービスを行うセル全てに共通の値でも良い。【０１４７】
以上から、基地局１０ｂは、移動局２０ｆからのＭＢＭＳ測定報告に基づいて、ＭＢＭＳサービスの送信形態を変更することができる。【０１４８】
尚、上記基準（ＭＢＭＳ測定報告のトリガー基準）は、これに限定されるものではない。また、単一の基準に合致した場合に限らず、複数の基準に合致した場合として動作させるようにしてもよい。【０１４９】
さらに上記の条件、基準（下限閾値）とは別に、フィードバックを行っている移動局２０ｃ用に逆の閾値、すなわち上限閾値を設けることができる。すなわち、ある上限閾値以上のチャネル状態、ＭＢＭＳ受信状況の移動局２０ｃは、ＭＢＭＳ測定報告を送信し、基地局１０ｂがフィードバックリソースを開放できるようにする。【０１５０】
次に、図１３について、図１２を参照しながら説明を行う。ここでは、移動局２０ｆについて説明するが、移動局２０ｃも同様の処理である。接続状態（ＲＲＣ＿ＣＯＮＮＥＣＴＥＤ）にある移動局２０ｆ（図１３−ステップＳ１１）は、基地局１０ｂから下りリンク同期チャネル（PSCH）や、下りリンク報知チャネル（PBCH）を受信・復調・復号し、下りリンク共用チャネル（PDSCH）等で報知されるＭＢＭＳ関連情報を取得する（図１３−ステップＳ１２）。ＭＢＭＳ関連情報には、基地局１０ｂがＳＣＰＴＭ送信でのＭＢＭＳサービス提供を行っていること示す広告情報、前述のＭＢＭＳ測定報告のトリガー基準などが含まれる。そして、基地局１０ｂは移動局２０ｆに対して測定を開始するよう指定する。測定開始を指定された移動局２０ｆは、基地局１０ｂからのＭＢＭＳ測定報告基準に従って測定を開始する（図１３−ステップＳ１３）。【０１５１】
移動局２０ｆは、受信したいＭＢＭＳサービスにおいて、ＭＢＭＳ測定報告を行う条件（トリガー基準に基づいたＭＢＭＳ測定報告条件）に一致した場合に（図１３−ステップＳ１３でＹＥＳ）、ＭＢＭＳ測定報告の送信処理に入る（図１３−ステップＳ１４）。一方、条件に合致しない場合（図１３−ステップＳ１３でＮＯの場合）は、図１３−ステップＳ１１に戻る。【０１５２】
このＭＢＭＳ測定報告には、ＭＢＭＳ測定報告基準に達したことを示す情報または測定値そのものが含められる。この測定報告は、ＲＲＣメッセージと呼ばれるＬ３（Ｌａｙｅｒ３）レベルの制御情報として送信され、ＭＢＭＳサービスフィードバック要求報告メッセージまたはＭＢＭＳサービス送信報告メッセージが含まれる。また、それぞれのメッセージには、どのＭＢＭＳサービスに対する要求なのかを識別するためのＭＢＭＳサービスＩＤが含まれる。【０１５３】
このように、一般に、上りリンクリソースは有限であるため、基地局は、上りリンクのフィードバック情報を送信する移動局数が一定数に達している場合に、より悪いチャネル状態、ＭＢＭＳ受信状況を返す移動局が現れた場合には、その移動局に対して上りリンクのフィードバックリソースを割り当てると共に、他の移動局の上りリンクのフィードバックリソースを解放するようにスケジューリングを行う。尚、基地局は、上りリンクのフィードバック情報を送信する移動局数が一定数に達していない場合に、より悪いチャネル状態、ＭＢＭＳ受信状況を返す移動局が現れた場合には、その移動局に対して上りリンクのフィードバックリソースを割り当てたとしても、他の移動局の上りリンクのフィードバックリソースを必ずしも解放する必要はない（但し、解放しても良い）。【０１５４】
また、基地局は、より良いチャネル状態、ＭＢＭＳ受信状況を返す移動局が現れた場合には、その移動局に対する上りリンクのフィードバックリソースの割り当てを解放するようスケジューリングを行ってもよい。【０１５５】
さらに、基地局１０ｂは、移動局２０ｆからのＭＢＭＳ測定報告に基づいて、ＭＢＭＳサービスの送信形態を変更することができる。【０１５６】
以上に説明したように、本実施の形態による通信技術によれば、移動局は、ＭＢＭＳ測定報告を行う条件に適合した場合に、基地局に対してＭＢＭＳ測定報告を送信する。これにより、基地局は、移動局に対して、ＳＣＰＴＭ送信でのＭＢＭＳサービス提供を効率的に行うことができるという利点がある。【０１５７】
また、第１の実施の形態に記載のＭＢＭＳ要求送信条件と第２の実施の形態に記載のＭＢＭＳ測定報告条件に同じものを用い、さらに、第１の実施の形態に記載のＭＢＭＳ要求のトリガー基準と第２の実施形態に記載のＭＢＭＳ測定報告のトリガー基準と、に同じものを用いると、移動局での測定の複雑性を低減することができる。また、第２の実施の形態で使用したＭＢＭＳ測定報告およびＭＢＭＳサービス要求報告およびＭＢＭＳサービスフィードバック要求報告を、それぞれ、第１の実施形態のＭＢＭＳ測定要求およびＭＢＭＳサービス要求およびＭＢＭＳサービスフィードバック要求と同じメッセージを使用するように構成しても良い。これにより、移動局の設計の複雑性を低減できる。【０１５８】
＜更なる変形例＞
尚、本発明は、上記に記載の実施の形態で示した例に限定されず、種々の変更を行うことが可能である。上記の各実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。【０１５９】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。【０１６０】
また、「コンピュータシステム」は、ＷＷＷシステムを利用している場合であれば、ホームページ提供環境（あるいは表示環境）も含むものとする。【０１６１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。また、通信方法であっても良い。【０１６２】
また、ここまでの説明では、便宜上、基地局装置と移動局装置が１対１で処理する場合について説明しているが、基地局が複数存在したり、移動局が複数存在したりしても良いことは勿論である。【０１６３】
また、無線アクセス手段の種別としては、Ｗ−ＣＤＭＡやｃｄｍａ２０００、無線ＬＡＮ、ＰＨＳ等の既存の手段に限らず、将来実用化される通信手段に対しても、本発明は適用可能である。
【産業上の利用可能性】
【０１６４】
本発明は、ＭＢＭＳサービスを提供する移動通信システムに利用可能である。
【図１】
2009096305.tif 000003
【図２】
2009096305.tif 000004
【図３】
2009096305.tif 000005
【図４】
2009096305.tif 000006
【図５】
2009096305.tif 000007
【図６】
2009096305.tif 000008
【図７】
2009096305.tif 000009
【図８】
2009096305.tif 000010
【図９】
2009096305.tif 000011
【図１０】
2009096305.tif 000012
【図１１】
2009096305.tif 000013
【図１２】
2009096305.tif 000014
【図１３】
2009096305.tif 000015
【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
（削除）
【請求項１１】
（削除）
【請求項１２】
（削除）
【請求項１３】
（削除）
【請求項１４】
（削除）
【請求項１５】
（削除）
【請求項１６】
（削除）
【請求項１７】
（削除）
【請求項１８】
（削除）
【請求項１９】
ＭＢＭＳサービスフィードバック要求を行う条件に合致した場合に、競合型ランダムアクセスを用いて、前記ＭＢＭＳサービスフィードバック要求を基地局装置に送信する移動局装置であって、
前記ＭＢＭＳサービスフィードバック要求を行う条件は、ＭＢＭＳサービスの送信時に使用される下りリンク制御チャネル（ＰＤＣＣＨ）を一定期間復号できない場合であることを特徴とする移動局装置。
【請求項２０】
ＭＢＭＳサービスフィードバック要求を行う条件に合致した場合に、競合型ランダムアクセスを用いて、前記ＭＢＭＳサービスフィードバック要求を基地局装置に送信する移動局装置であって、
前記ＭＢＭＳサービスフィードバック要求を行う条件は、自局の下りリンクのチャネル状態又は品質が、前記基地局装置から報知される閾値以下の場合であることを特徴とする移動局装置。
【請求項２１】
移動局装置とＭＢＭＳサービスを提供する基地局装置とを備える通信システムであって、
前記移動局装置は、ＭＢＭＳサービスフィードバック要求を行う条件に合致した場合に、競合型ランダムアクセスを用いて、前記ＭＢＭＳサービスフィードバック要求を前記基地局装置に対して送信し、
前記基地局装置は、前記移動局装置から受信した前記ＭＢＭＳサービスフィードバック要求に基づいて、前記移動局装置に対してフィードバックリソースを割当て、
前記移動局装置は、前記基地局装置から指定されたフィードバックリソースを用いて、フィードバック情報を前記基地局装置に対して送信し、
前記基地局装置は、前記移動局装置から受信したフィードバック情報に基づいて、前記ＭＢＭＳサービスの送信形態を変更し、
前記ＭＢＭＳサービスフィードバック要求を行う条件は、ＭＢＭＳサービスの送信時に使用される下りリンク制御チャネル（ＰＤＣＣＨ）を一定期間復号できない場合である
ことを特徴とする通信システム。
【請求項２２】
移動局装置とＭＢＭＳサービスを提供する基地局装置とを備える通信システムであって、
前記移動局装置は、ＭＢＭＳサービスフィードバック要求を行う条件に合致した場合に、競合型ランダムアクセスを用いて、前記ＭＢＭＳサービスフィードバック要求を前記基地局装置に対して送信し、
前記基地局装置は、前記移動局装置から受信した前記ＭＢＭＳサービスフィードバック要求に基づいて、前記移動局装置に対してフィードバックリソースを割当て、
前記移動局装置は、前記基地局装置から指定されたフィードバックリソースを用いて、フィードバック情報を前記基地局装置に対して送信し、
前記基地局装置は、前記移動局装置から受信したフィードバック情報に基づいて、前記ＭＢＭＳサービスの送信形態を変更し、
前記ＭＢＭＳサービスフィードバック要求を行う条件は、自局の下りリンクのチャネル状態又は品質が、前記基地局装置から報知される閾値以下の場合である
ことを特徴とする通信システム。
【請求項２３】
移動局装置とＭＢＭＳサービスを提供する基地局装置との間の通信方法であって、
前記移動局装置は、ＭＢＭＳサービスフィードバック要求を行う条件に合致した場合に、競合型ランダムアクセスを用いて、前記ＭＢＭＳサービスフィードバック要求を前記基地局装置に対して送信し、
前記基地局装置は、前記移動局装置から受信した前記ＭＢＭＳサービスフィードバック要求に基づいて、前記移動局装置に対してフィードバックリソースを割当て、
前記移動局装置は、前記基地局装置から指定されたフィードバックリソースを用いて、フィードバック情報を前記基地局装置に対して送信し、
前記基地局装置は、前記移動局装置から受信したフィードバック情報に基づいて、前記ＭＢＭＳサービスの送信形態を変更し、
前記ＭＢＭＳサービスフィードバック要求を行う条件は、ＭＢＭＳサービスの送信時に使用される下りリンク制御チャネル（ＰＤＣＣＨ）を一定期間復号できない場合である
ことを特徴とする通信方法。
【請求項２４】
移動局装置とＭＢＭＳサービスを提供する基地局装置との間の通信方法であって、
前記移動局装置は、ＭＢＭＳサービスフィードバック要求を行う条件に合致した場合に、競合型ランダムアクセスを用いて、前記ＭＢＭＳサービスフィードバック要求を前記基地局装置に対して送信し、
前記基地局装置は、前記移動局装置から受信した前記ＭＢＭＳサービスフィードバック要求に基づいて、前記移動局装置に対してフィードバックリソースを割当て、
前記移動局装置は、前記基地局装置から指定されたフィードバックリソースを用いて、フィードバック情報を前記基地局装置に対して送信し、
前記基地局装置は、前記移動局装置から受信したフィードバック情報に基づいて、前記ＭＢＭＳサービスの送信形態を変更し、
前記ＭＢＭＳサービスフィードバック要求を行う条件は、自局の下りリンクのチャネル状態又は品質が、前記基地局装置から報知される閾値以下の場合である
ことを特徴とする通信方法。
【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
ＭＢＭＳサービスフィードバック要求を行う条件に合致した場合に、競合型ランダムアクセスを用いて、前記ＭＢＭＳサービスフィードバック要求を基地局装置に送信する移動局装置であって、
前記ＭＢＭＳサービスフィードバック要求を行う条件は、ＭＢＭＳサービスの送信時に使用される下りリンク制御チャネル（PDCCH）を一定期間復号できない場合であることを特徴とする移動局装置。
【請求項２】
ＭＢＭＳサービスフィードバック要求を行う条件に合致した場合に、競合型ランダムアクセスを用いて、前記ＭＢＭＳサービスフィードバック要求を基地局装置に送信する移動局装置であって、
前記ＭＢＭＳサービスフィードバック要求を行う条件は、自局の下りリンクのチャネル状態又は品質が、前記基地局装置から報知される閾値以下の場合であることを特徴とする移動局装置。
【請求項３】
移動局装置とＭＢＭＳサービスを提供する基地局装置とを備える通信システムであって、
前記移動局装置は、ＭＢＭＳサービスフィードバック要求を行う条件に合致した場合に、競合型ランダムアクセスを用いて、前記ＭＢＭＳサービスフィードバック要求を前記基地局装置に対して送信し、
前記基地局装置は、前記移動局装置から受信した前記ＭＢＭＳサービスフィードバック要求に基づいて、前記移動局装置に対してフィードバックリソースを割当て、
前記移動局装置は、前記基地局装置から指定されたフィードバックリソースを用いて、フィードバック情報を前記基地局装置に対して送信し、
前記基地局装置は、前記移動局装置から受信したフィードバック情報に基づいて、前記ＭＢＭＳサービスの送信形態を変更し、
前記ＭＢＭＳサービスフィードバック要求を行う条件は、ＭＢＭＳサービスの送信時に使用される下りリンク制御チャネル（PDCCH）を一定期間復号できない場合である
ことを特徴とする通信システム。
【請求項４】
移動局装置とＭＢＭＳサービスを提供する基地局装置とを備える通信システムであって、
前記移動局装置は、ＭＢＭＳサービスフィードバック要求を行う条件に合致した場合に、競合型ランダムアクセスを用いて、前記ＭＢＭＳサービスフィードバック要求を前記基地局装置に対して送信し、
前記基地局装置は、前記移動局装置から受信した前記ＭＢＭＳサービスフィードバック要求に基づいて、前記移動局装置に対してフィードバックリソースを割当て、
前記移動局装置は、前記基地局装置から指定されたフィードバックリソースを用いて、フィードバック情報を前記基地局装置に対して送信し、
前記基地局装置は、前記移動局装置から受信したフィードバック情報に基づいて、前記ＭＢＭＳサービスの送信形態を変更し、
前記ＭＢＭＳサービスフィードバック要求を行う条件は、自局の下りリンクのチャネル状態又は品質が、前記基地局装置から報知される閾値以下の場合である
ことを特徴とする通信システム。
【請求項５】
移動局装置とＭＢＭＳサービスを提供する基地局装置との間の通信方法であって、
前記移動局装置は、ＭＢＭＳサービスフィードバック要求を行う条件に合致した場合に、競合型ランダムアクセスを用いて、前記ＭＢＭＳサービスフィードバック要求を前記基地局装置に対して送信し、
前記基地局装置は、前記移動局装置から受信した前記ＭＢＭＳサービスフィードバック要求に基づいて、前記移動局装置に対してフィードバックリソースを割当て、
前記移動局装置は、前記基地局装置から指定されたフィードバックリソースを用いて、フィードバック情報を前記基地局装置に対して送信し、
前記基地局装置は、前記移動局装置から受信したフィードバック情報に基づいて、前記ＭＢＭＳサービスの送信形態を変更し、
前記ＭＢＭＳサービスフィードバック要求を行う条件は、ＭＢＭＳサービスの送信時に使用される下りリンク制御チャネル（PDCCH）を一定期間復号できない場合である
ことを特徴とする通信方法。
【請求項６】
移動局装置とＭＢＭＳサービスを提供する基地局装置との間の通信方法であって、
前記移動局装置は、ＭＢＭＳサービスフィードバック要求を行う条件に合致した場合に、競合型ランダムアクセスを用いて、前記ＭＢＭＳサービスフィードバック要求を前記基地局装置に対して送信し、
前記基地局装置は、前記移動局装置から受信した前記ＭＢＭＳサービスフィードバック要求に基づいて、前記移動局装置に対してフィードバックリソースを割当て、
前記移動局装置は、前記基地局装置から指定されたフィードバックリソースを用いて、フィードバック情報を前記基地局装置に対して送信し、
前記基地局装置は、前記移動局装置から受信したフィードバック情報に基づいて、前記ＭＢＭＳサービスの送信形態を変更し、
前記ＭＢＭＳサービスフィードバック要求を行う条件は、自局の下りリンクのチャネル状態又は品質が、前記基地局装置から報知される閾値以下の場合である
ことを特徴とする通信方法。
【国際調査報告】
2009096305.tif 000016
2009096305.tif 000017
2009096305.tif 000018
2009096305.tif 000019
2009096305.tif 000020
2009096305.tif 000021
2009096305.tif 000022
2009096305.tif 000023
2009096305.tif 000024